(57)【要約】【課題】無線装置内の設定情報の変更のみで隣接チャンネル干渉波による通信品質の劣化状態の解消が可能な無線通信システムを提供する。【解決手段】無線装置の送信側は、無線回線が占有する所定の周波数帯域ｆ０の隣接チャンネル干渉波による通信品質の劣化を認識すると、周波数制御部３０９にて周波数帯域f0を下側周波数帯域f1と上側周波数帯域f2とに二分して、第一送受信器102-1は下側周波数帯域f1を用い、第二送受信器102-2は上側周波数帯域f2を用いて、それぞれ送信するように周波数変更を行うとともに、占有帯域制御部310、変調度制御部311にて占有領域、変調度２ＮのＮをホットスタンバイ構成時のそれぞれ半分、２倍に変更して、ホットスタンバイ構成からＦＤＤツインパス構成へ変更する。無線装置の受信側は下側周波数帯域f1と上側周波数帯域f2との二つの受信信号のうち良好な品質の方の受信信号を選択して受信する。【選択図】        図３
2015226252.tif 000002
【特許請求の範囲】
【請求項１】
対向する二つの第一無線装置と第二無線装置との間をポイントツーポイントの無線通信を行う無線通信システムであって、
前記第一無線装置および前記第二無線装置それぞれは、第一送受信器、第一変調器、第一復調器、および、第二送受信器、第二変調器、第二復調器からなる第一および第二の二つの無線送信系と第一および第二の二つの無線受信系とを備えた（１＋１）冗長構成からなり、前記第一および第二の二つの無線送信系のうちいずれか一方の無線送信系を現用として、あらかじめ割り当てられた特定の無線周波数を動作周波数として用いて相手側の無線装置への送信動作を行い、他方の無線送信系を予備系として待機するホットスタンバイ構成が可能な無線通信システムにおいて、
前記第一無線装置および第二無線装置それぞれは、
自無線回線の受信信号の品質が劣化したか否かを検出する回線品質監視手段と、
前記受信信号の品質が劣化した原因が、自無線装置が使用する前記無線周波数として占有する無線周波数帯域への隣接チャンネル干渉波によるものか否かを検出する隣接干渉波検出手段と、
一方の前記第一送受信器の動作周波数を、前記ホットスタンバイ構成時の無線周波数の帯域を上下に二分した際の下側無線周波数に、他方の前記第二送受信器の動作周波数を、前記ホットスタンバイ構成時の無線周波数の帯域を上下に二分した際の上側無線周波数に、前記ホットスタンバイ構成時の無線周波数から周波数変更する周波数制御手段と、
前記第一変調器、前記第一復調器、および、前記第二変調器、前記第二復調器それぞれの変調度２ＮのＮ（Ｎ：自然数）を、前記ホットスタンバイ構成時の２倍に変更する変調度制御手段と、
前記第一変調器、前記第一復調器、および、前記第二変調器、前記第二復調器それぞれの占有帯域を、前記ホットスタンバイ構成時の半分の占有帯域に変更する占有帯域制御手段と、
前記第一送受信器および前記第二送受信器それぞれが受信した前記受信信号から品質の良い方の受信信号を選択して、受信データとして合成する伝送データ合成手段と、
前記隣接チャンネル干渉波により前記受信信号の品質が劣化したと判定した時、または、対向する相手側の無線装置から前記隣接チャンネル干渉波による前記受信信号の品質の劣化通知を受け取った時に、前記周波数制御手段、前記変調度制御手段、前記占有帯域制御手段を制御して、前記ホットスタンバイ構成から、前記下側無線周波数と前記上側無線周波数との二つの無線周波数を用いて同一データを送信するＦＤＤ（Frequency  Division  Duplex）ツインパス構成に構成変更する構成変更手段と
を有することを特徴とする無線通信システム。
【請求項２】
前記周波数制御手段は、前記第一送受信器および前記第二送受信器それぞれの動作周波数を、前記下側無線周波数および前記上側無線周波数から前記ホットスタンバイ構成時の元の無線周波数に戻す機能をさらに備え、
前記変調度制御手段は、前記第一変調器、前記第一復調器、および、前記第二変調器、前記第二復調器それぞれの変調度２ＮのＮを半分にして、前記ホットスタンバイ構成時の元の変調度に戻す機能をさらに備え、
前記占有帯域制御手段は、前記第一変調器、前記第一復調器、および、前記第二変調器、前記第二復調器それぞれの占有帯域を２倍して、前記ホットスタンバイ構成時の元の占有帯域に戻す機能をさらに備えるとともに、
前記隣接チャンネル干渉波による前記受信信号の品質劣化を解消することができたと判定した時、または、対向する無線装置から前記隣接チャンネル干渉波による前記受信信号の品質劣化解消の通知を受け取った時に、前記周波数制御手段、前記変調度制御手段、前記占有帯域制御手段を制御して、前記ＦＤＤツインパス構成から元の前記ホットスタンバイ構成に戻すための構成復帰手段
をさらに備えていることを特徴とする請求項１に記載の無線通信システム。
【請求項３】
前記構成復帰手段は、前記隣接チャンネル干渉波による前記受信信号の品質劣化解消状態が、復帰監視時間としてあらかじめ定めた時間の間継続していた際に、前記ＦＤＤツインパス構成から元の前記ホットスタンバイ構成に復帰する動作を実行することを特徴とする請求項２に記載の無線通信システム。
【請求項４】
前記構成変更手段により前記ホットスタンバイ構成から前記ＦＤＤツインパス構成に構成変更する際に、または、前記構成復帰手段により前記ＦＤＤツインパス構成から元の前記ホットスタンバイ構成に戻す際に、対向する二つの前記第一無線装置と前記第二無線装置との間の構成変更時の動作または構成復帰時の動作の同期合わせを行うための対向局間同期判定手段
をさらに備えていることを特徴とする請求項１ないし３のいずれかに記載の無線通信システム。
【請求項５】
対向する二つの第一無線装置と第二無線装置との間をポイントツーポイントの無線通信を行う無線通信システムによる無線通信方法であって、
前記第一無線装置および前記第二無線装置それぞれは、第一送受信器、第一変調器、第一復調器、および、第二送受信器、第二変調器、第二復調器からなる第一および第二の二つの無線送信系と第一および第二の二つの無線受信系とを備えた（１＋１）冗長構成を前記無線通信システムに適用し、前記第一および第二の二つの無線送信系のうちいずれか一方の無線送信系を現用として、あらかじめ割り当てられた特定の無線周波数を動作周波数として用いて相手側の無線装置への送信動作を行い、他方の無線送信系を予備系として待機するホットスタンバイ構成が可能な無線通信方法において、
前記第一無線装置および第二無線装置それぞれは、
自無線回線の受信信号の品質が劣化したか否かを検出する回線品質監視ステップと、
前記受信信号の品質が劣化した原因が、自無線装置が使用する前記無線周波数として占有する無線周波数帯域への隣接チャンネル干渉波によるものか否かを検出する隣接干渉波検出ステップと、
一方の前記第一送受信器の動作周波数を、前記ホットスタンバイ構成時の無線周波数の帯域を上下に二分した際の下側無線周波数に、他方の前記第二送受信器の動作周波数を、前記ホットスタンバイ構成時の無線周波数の帯域を上下に二分した際の上側無線周波数に、前記ホットスタンバイ構成時の無線周波数から周波数変更する周波数制御ステップと、
前記第一変調器、前記第一復調器、および、前記第二変調器、前記第二復調器それぞれの変調度２ＮのＮ（Ｎ：自然数）を、前記ホットスタンバイ構成時の２倍に変更する変調度制御ステップと、
前記第一変調器、前記第一復調器、および、前記第二変調器、前記第二復調器それぞれの占有帯域を、前記ホットスタンバイ構成時の半分の占有帯域に変更する占有帯域制御ステップと、
前記第一送受信器および前記第二送受信器それぞれが受信した前記受信信号から品質の良い方の受信信号を選択して、受信データとして合成する伝送データ合成手ステップと、
前記隣接チャンネル干渉波により前記受信信号の品質が劣化したと判定した時、または、対向する相手側の無線装置から前記隣接チャンネル干渉波による前記受信信号の品質の劣化通知を受け取った時に、前記周波数制御ステップ、前記変調度制御ステップ、前記占有帯域制御ステップを制御して、前記ホットスタンバイ構成から、前記下側無線周波数と前記上側無線周波数との二つの無線周波数を用いて同一データを送信するＦＤＤ（Frequency  Division  Duplex）ツインパス構成に構成変更する構成変更ステップと
を少なくとも有していることを特徴とする無線通信方法。
【請求項６】
前記周波数制御ステップは、前記第一送受信器および前記第二送受信器それぞれの動作周波数を、前記下側無線周波数および前記上側無線周波数から前記ホットスタンバイ構成時の元の無線周波数に戻す機能をさらに有し、
前記変調度制御ステップは、前記第一変調器、前記第一復調器、および、前記第二変調器、前記第二復調器それぞれの変調度２ＮのＮを半分にして、前記ホットスタンバイ構成時の元の変調度に戻す機能をさらに有し、
前記占有帯域制御ステップは、前記第一変調器、前記第一復調器、および、前記第二変調器、前記第二復調器それぞれの占有帯域を２倍して、前記ホットスタンバイ構成時の元の占有帯域に戻す機能をさらに有するとともに、
前記隣接チャンネル干渉波による前記受信信号の品質劣化を解消することができたと判定した時、または、対向する無線装置から前記隣接チャンネル干渉波による前記受信信号の品質劣化解消の通知を受け取った時に、前記周波数制御手段、前記変調度制御手段、前記占有帯域制御手段を制御して、前記ＦＤＤツインパス構成から元の前記ホットスタンバイ構成に戻すための構成復帰ステップ
をさらに有していることを特徴とする請求項５に記載の無線通信方法。
【請求項７】
前記構成復帰ステップは、前記隣接チャンネル干渉波による前記受信信号の品質劣化解消状態が、復帰監視時間としてあらかじめ定めた時間の間継続していた際に、前記ＦＤＤツインパス構成から元の前記ホットスタンバイ構成に復帰する動作を実行することを特徴とする請求項６に記載の無線通信システム。
【請求項８】
前記構成変更ステップにより前記ホットスタンバイ構成から前記ＦＤＤツインパス構成に構成変更する際に、または、前記構成復帰ステップにより前記ＦＤＤツインパス構成から元の前記ホットスタンバイ構成に戻す際に、対向する二つの前記第一無線装置と前記第二無線装置との間の構成変更時の動作または構成復帰時の動作の同期合わせを行うための対向局間同期判定ステップ
をさらに有していることを特徴とする請求項５ないし７のいずれかに記載の無線通信方法。
【請求項９】
請求項５ないし８のいずれかに記載の無線通信方法を、コンピュータによって実行可能なプログラムとして実施することを特徴とする無線通信プログラム。
【発明の詳細な説明】
【技術分野】
【０００１】
本発明は、無線通信システム、無線通信方法および無線通信プログラムに関し、特に、第一及び第二の無線送信系と第一及び第二の無線受信系とを備えた（１＋１）冗長構成からなる二つの無線装置間で固定型ポイントツーポイントの無線通信を行う無線通信システム、無線通信方法および無線通信プログラムに関する。
【背景技術】
【０００２】
現在、無線通信システムの分野においては、各種の無線通信方式が活発に検討されており、限られた無線周波数帯域の中で、種々の無線通信システムが次々に実用に供されている。この結果、いずれかの無線通信システムが、隣接チャンネルを利用する他の無線通信システムからの干渉波の影響を受けて、当該無線通信システムの無線回線品質が劣化してしまう事態が多発するようになってきている。
【０００３】
かくのごとき隣接チャンネルの干渉波の影響による無線回線品質の劣化を回避するために、例えば、特許文献１の特開２０１０−２６３４７２号公報「無線通信装置」等に記載されているように、指向性を有する複数のアンテナを備えて、隣接チャンネルからの影響を最小限に抑えるように、受信アンテナの指向性をコントロールするような技術が開示されている。
【先行技術文献】
【特許文献】
【０００４】
【特許文献１】特開２０１０−２６３４７２号公報（第４−６頁）
【発明の概要】
【発明が解決しようとする課題】
【０００５】
しかしながら、前記特許文献１に記載のような従来の無線通信システムにおいては、隣接チャンネルの運用が継続する限り、該隣接チャンネルの干渉による伝送品質の低下状態がそのまま固定してしまう場合も生じて、隣接チャンネルの運用が停止して、当該隣接チャンネルの干渉波がなくなるまで自無線回線の無線信号の伝送品質が改善されない場合が生じてしまう。この結果、敷設後に生じた隣接チャンネルの干渉波により、伝送品質が定常的に劣化する状況に陥り、新たな周波数申請や新たな無線通信システムへの置換が必須になってしまう事態も発生している。
【０００６】
前記特許文献１の技術とは異なる従来の無線通信システムの例として、ポイントツーポイント無線通信システムが知られている。このポイントツーポイント無線通信システムでは、例えば、無線送信系を第一無線送信系および第二無線送信系で構成する。このように、無線送信系を二重に備えた（１＋１）冗長構成とすることにより、いずれか一方の無線送信系例えば第一無線送信系を現用として特定の無線周波数の周波数帯域を用いて無線出力し、他方の無線送信系例えば第二無線送信系を、現用運用中の一方の無線送信系（第一無線送信系）の故障時や送信器切り替え時に備えて、伝送品質を確保するための予備系として待機させることができる。このポイントツーポイント無線通信システムを適用する場合には、敷設する無線回線の周波数干渉状況に応じて、一つの特定の無線周波数を使用する機器冗長構成となるホットスタンバイ構成か、或いは二つの無線周波数を使用して同一データを送信する無線伝送冗長構成となるＦＤＤ（Frequency  Division  Duplex）ツインパス構成かのうちのいずれか一方の構成を用いるかをあらかじめ見極めて敷設するという施策が採用されている。
【０００７】
そして、例えば、ホットスタンバイ構成の無線通信システムを敷設した後に、隣接チャンネルの干渉波が発生し、伝送品質が劣化したときには、二つの無線周波数を使用するＦＤＤツインパス構成が可能な装置に変更して敷設し直すことが必要であった。かかる事態が発生すると、無線ライセンス申請の変更と、無線通信システムの据え付け変更が必要となり、無線通信サービス提供上の大きな負担であり、このことが従来の無線通信システムにおける解決するべき課題であった。
【０００８】
（本発明の目的）
本発明は、前述のような課題に鑑みてなされたものであり、ホットスタンバイ構成が可能な（１＋１）冗長構成からなる無線装置を用いてポイントツーポイント無線通信を行う場合、無線装置内の設定変更のみによって隣接チャンネルの干渉波による通信品質の劣化状態を解消することが可能な無線通信システム、無線通信方法および無線通信プログラムを提供することを、その目的としている。
【課題を解決するための手段】
【０００９】
前述の課題を解決するため、本発明による無線通信システム、無線通信方法および無線通信プログラムは、主に、次のような特徴的な構成を採用している。
【００１０】
（１）本発明による無線通信システムは、
対向する二つの第一無線装置と第二無線装置との間をポイントツーポイントの無線通信を行う無線通信システムであって、
前記第一無線装置および前記第二無線装置それぞれは、第一送受信器、第一変調器、第一復調器、および、第二送受信器、第二変調器、第二復調器からなる第一および第二の二つの無線送信系と第一および第二の二つの無線受信系とを備えた（１＋１）冗長構成からなり、前記第一および第二の二つの無線送信系のうちいずれか一方の無線送信系を現用として、あらかじめ割り当てられた特定の無線周波数を動作周波数として用いて相手側の無線装置への送信動作を行い、他方の無線送信系を予備系として待機するホットスタンバイ構成が可能な無線通信システムにおいて、
前記第一無線装置および第二無線装置それぞれは、
自無線回線の受信信号の品質が劣化したか否かを検出する回線品質監視手段と、
前記受信信号の品質が劣化した原因が、自無線装置が使用する前記無線周波数として占有する無線周波数帯域への隣接チャンネル干渉波によるものか否かを検出する隣接干渉波検出手段と、
一方の前記第一送受信器の動作周波数を、前記ホットスタンバイ構成時の無線周波数の帯域を上下に二分した際の下側無線周波数に、他方の前記第二送受信器の動作周波数を、前記ホットスタンバイ構成時の無線周波数の帯域を上下に二分した際の上側無線周波数に、前記ホットスタンバイ構成時の無線周波数から周波数変更する周波数制御手段と、
前記第一変調器、前記第一復調器、および、前記第二変調器、前記第二復調器それぞれの変調度２ＮのＮ（Ｎ：自然数）を、前記ホットスタンバイ構成時の２倍に変更する変調度制御手段と、
前記第一変調器、前記第一復調器、および、前記第二変調器、前記第二復調器それぞれの占有帯域を、前記ホットスタンバイ構成時の半分の占有帯域に変更する占有帯域制御手段と、
前記第一送受信器および前記第二送受信器それぞれが受信した前記受信信号から品質の良い方の受信信号を選択して、受信データとして合成する伝送データ合成手段と、
前記隣接チャンネル干渉波により前記受信信号の品質が劣化したと判定した時、または、対向する相手側の無線装置から前記隣接チャンネル干渉波による前記受信信号の品質の劣化通知を受け取った時に、前記周波数制御手段、前記変調度制御手段、前記占有帯域制御手段を制御して、前記ホットスタンバイ構成から、前記下側無線周波数と前記上側無線周波数との二つの無線周波数を用いて同一データを送信するＦＤＤ（Frequency  Division  Duplex）ツインパス構成に構成変更する構成変更手段と
を有することを特徴とする。
【００１１】
（２）本発明による無線通信方法は、
対向する二つの第一無線装置と第二無線装置との間をポイントツーポイントの無線通信を行う無線通信システムによる無線通信方法であって、
前記第一無線装置および前記第二無線装置それぞれは、第一送受信器、第一変調器、第一復調器、および、第二送受信器、第二変調器、第二復調器からなる第一および第二の二つの無線送信系と第一および第二の二つの無線受信系とを備えた（１＋１）冗長構成を前記無線通信システムに適用し、前記第一および第二の二つの無線送信系のうちいずれか一方の無線送信系を現用として、あらかじめ割り当てられた特定の無線周波数を動作周波数として用いて相手側の無線装置への送信動作を行い、他方の無線送信系を予備系として待機するホットスタンバイ構成が可能な無線通信方法において、
前記第一無線装置および第二無線装置それぞれは、
自無線回線の受信信号の品質が劣化したか否かを検出する回線品質監視ステップと、
前記受信信号の品質が劣化した原因が、自無線装置が使用する前記無線周波数として占有する無線周波数帯域への隣接チャンネル干渉波によるものか否かを検出する隣接干渉波検出ステップと、
一方の前記第一送受信器の動作周波数を、前記ホットスタンバイ構成時の無線周波数の帯域を上下に二分した際の下側無線周波数に、他方の前記第二送受信器の動作周波数を、前記ホットスタンバイ構成時の無線周波数の帯域を上下に二分した際の上側無線周波数に、前記ホットスタンバイ構成時の無線周波数から周波数変更する周波数制御ステップと、
前記第一変調器、前記第一復調器、および、前記第二変調器、前記第二復調器それぞれの変調度２ＮのＮ（Ｎ：自然数）を、前記ホットスタンバイ構成時の２倍に変更する変調度制御ステップと、
前記第一変調器、前記第一復調器、および、前記第二変調器、前記第二復調器それぞれの占有帯域を、前記ホットスタンバイ構成時の半分の占有帯域に変更する占有帯域制御ステップと、
前記第一送受信器および前記第二送受信器それぞれが受信した前記受信信号から品質の良い方の受信信号を選択して、受信データとして合成する伝送データ合成手ステップと、
前記隣接チャンネル干渉波により前記受信信号の品質が劣化したと判定した時、または、対向する相手側の無線装置から前記隣接チャンネル干渉波による前記受信信号の品質の劣化通知を受け取った時に、前記周波数制御ステップ、前記変調度制御ステップ、前記占有帯域制御ステップを制御して、前記ホットスタンバイ構成から、前記下側無線周波数と前記上側無線周波数との二つの無線周波数を用いて同一データを送信するＦＤＤ（Frequency  Division  Duplex）ツインパス構成に構成変更する構成変更ステップと
を少なくとも有していることを特徴とする。
【００１２】
（３）本発明による無線通信プログラムは、少なくとも前記（２）に記載の無線通信方法を、コンピュータによって実行可能なプログラムとして実施することを特徴とする。
【発明の効果】
【００１３】
本発明の無線通信システム、無線通信方法および無線通信プログラムによれば、敷設後に生じた隣接チャンネルの干渉波により、伝送品質が定常的に劣化する状況になった場合であっても、新たな周波数申請や新たな無線通信システムへの置き換えを行う必要がなく、無線装置内の設定変更を行うだけで、元の伝送容量のままで、隣接チャンネルの干渉波による伝送品質の劣化状態を解消させ、無線伝送品質を良好な状態に復帰させることができるという効果を奏することができる。
【図面の簡単な説明】
【００１４】
【図１】本発明による無線通信システムの装置構成の一例を示す装置構成図である。
【図２】図１に示す無線通信システムを構成する無線装置内の隣接干渉波検出部の内部構成の一例を示すブロック構成図である。
【図３】図１に示す無線通信システムを構成する無線装置内の無線信号制御部の内部構成の一例を示すブロック構成図である。
【図４】図１に示した無線通信システムを構成する無線装置内の無線信号制御部において隣接チャンネルからの干渉が発生していることを判断する動作の一例を説明するためのフローチャートである。
【図５Ａ】図１に示した無線通信システムを構成する無線装置内の無線信号制御部においてホットスタンバイ構成からＦＤＤツインパス構成へ構成変更する動作の一例を説明するためのフローチャートの前半部分である。
【図５Ｂ】図１に示した無線通信システムを構成する無線装置内の無線信号制御部においてホットスタンバイ構成からＦＤＤツインパス構成へ構成変更する動作の一例を説明するためのフローチャートの後半部分である。
【図６】図１に示した無線通信システムを構成する無線装置内の無線信号制御部においてＦＤＤツインパス構成時の隣接チャンネルの干渉があらかじめ定めた干渉閾値よりも低下したことを判断する際の動作の一例を説明するためのフローチャートである。
【図７Ａ】図１に示した無線通信システムを構成する無線装置内の無線信号制御部においてＦＤＤツインパス構成からホットスタンバイ構成へ復帰させる構成変更を行う動作の一例を説明するためのフローチャートの前半部分である。
【図７Ｂ】図１に示した無線通信システムを構成する無線装置内の無線信号制御部においてＦＤＤツインパス構成からホットスタンバイ構成へ復帰させる構成変更を行う動作の一例を説明するためのフローチャートの後半部分である。
【図８Ａ】図１〜図３に示した無線通信システムの動作の一例を説明するための説明図であり、ホットスタンバイ構成時における無線装置１０１から無線装置２０１への片方向無線送信動作時の概略を説明している。
【図８Ｂ】図１〜図３に示した無線通信システムの動作の一例を説明するための説明図であり、ＦＤＤツインパス構成時における無線装置１０１から無線装置２０１への片方向無線送信動作時の概略を説明している。
【発明を実施するための形態】
【００１５】
以下、本発明による無線通信システム、無線通信方法および無線通信プログラムの好適な実施形態について添付図を参照して説明する。なお、以下の説明においては、本発明による無線通信システムよび無線通信方法について説明するが、かかる無線通信方法をコンピュータにより実行可能な無線通信プログラムとして実施するようにしても良いし、あるいは、無線通信プログラムをコンピュータにより読み取り可能な記録媒体に記録するようにしても良いことは言うまでもない。また、以下の各図面に付した図面参照符号は、理解を助けるための一例として各要素に便宜上付記したものであり、本発明を図示の態様に限定することを意図するものではないことも言うまでもない。
【００１６】
（本発明の特徴）
本発明の実施形態の説明に先立って、本発明の特徴についてその概要をまず説明する。本発明は、二つの無線装置間のポイントツーポイント通信を行う無線通信システムであって、それら二つの無線装置それぞれの送受信系が、ホットスタンバイ動作が可能な（１＋１）冗長構成からなる無線通信システムにおいて、ホットスタンバイ構成時の無線周波数帯域を上側無線周波数帯（周波数帯Ａ）と上側無線周波数帯（周波数帯Ｂ）とに二分して無線伝送するための周波数制御機能と、無線占有帯域を半分に設定する占有帯域制御機能と、伝送容量すなわち変調度２ＮのＮ（Ｎ：自然数）を２倍するための変調度制御機能とを少なくとも備えることにより、敷設後に生じた隣接チャンネルの干渉波により、伝送品質が定常的に劣化する状況になった場合であっても、新たな周波数申請や新たな無線通信システムへの置き換えを行う必要がなく、無線装置内の設定変更を行うだけで、元の伝送容量のままで、隣接チャンネルからの干渉の影響を解消し、無線伝送品質を良好な状態に復帰させることを可能にしていることを、その主要な特徴としている。
【００１７】
より具体的には、本発明による無線通信システムは次のような構成を備えていることを特徴としている。すなわち、本発明による無線通信システムは、
ポイントツーポイント通信を行う対向する二つの無線装置から構成されており、それぞれの無線装置は、第一および第二の二つの無線送信系と、第一および第二の二つの無線受信系と、を備えた（１＋１）冗長構成からなり、前記第一および第二の二つの無線送信系のうち、いずれか一方の無線送信系を現用として、あらかじめ割り当てられた特定の無線周波数を用いて相手側の無線装置への送信動作を行い、他方の無線送信系を予備系として待機するホットスタンバイ構成が可能であって、かつ、回線品質監視手段、隣接干渉波検出手段、周波数制御手段、変調度制御手段、占有帯域制御手段、伝送データ合成手段、構成変更手段、構成復帰手段の各手段を少なくとも備えている。なお、前記第一の無線送信系と前記第一の無線受信系としては、第一送受信器、第一変調器、第一復調器を備え、前記第二の無線送信系と前記第二の無線受信系としては、第二送受信器、第二変調器、第二復調器を備えている。
【００１８】
（１）前記回線品質監視手段は、自無線回線の受信信号の品質が劣化したか否かを検出する手段である。
【００１９】
（２）前記隣接干渉波検出手段は、前記受信信号の品質が劣化した原因が、自無線装置が使用する無線周波数として占有する無線周波数帯域への隣接チャンネル干渉波によるものか否かを検出する手段である。
【００２０】
（３）前記周波数制御手段は、ホットスタンバイ構成時に、前記隣接チャンネル干渉波により前記受信信号の品質が劣化したと判定した時に、自無線装置の一方の第一送受信器の送信用／受信用の動作周波数を、ホットスタンバイ構成時の無線周波数ｆ０／無線周波数ｆ０’の帯域を上下に二分した際の下側無線周波数ｆ１／下側無線周波数ｆ１’（もしくは上側無線周波数ｆ２／上側無線周波数ｆ２’）に、自無線装置の他方の第二送受信器の送信用／受信用の動作周波数を、無線周波数ｆ０／無線周波数ｆ０’の帯域の上側無線周波数ｆ２／上側無線周波数ｆ２’（もしくは下側無線周波数ｆ１）に、無線周波数ｆ０／無線周波数ｆ０’から周波数変更し、また、前記隣接チャンネル干渉波による前記受信信号の品質劣化を解消することができたと判定した時には、自無線装置の前記第一送受信器および前記第二送受信器それぞれの送信用／受信用の動作周波数をホットスタンバイ構成時の無線周波数ｆ０／無線周波数ｆ０’に戻す手段である。なお、相手側の無線装置においても、該周波数制御手段は、対向する無線装置から前記隣接チャンネル干渉波による前記受信信号の品質劣化通知を受け取ると、自無線装置の一方の第一送受信器の送信用／受信用それぞれの動作周波数を、自無線装置の無線周波数ｆ０’／無線周波数ｆ０の帯域を上下に二分した際の下側無線周波数ｆ１’／下側無線周波数ｆ１（もしくは上側無線周波数ｆ２’／上側無線周波数ｆ２）に、自無線装置の他方の第二送受信器の送信用／受信用それぞれの動作周波数を、無線周波数ｆ０’／無線周波数ｆ０の上側無線周波数ｆ２’／上側無線周波数ｆ２（もしくは下側無線周波数ｆ１’／下側無線周波数ｆ１）に、無線周波数ｆ０’／無線周波数ｆ０から周波数変更し、また、前記受信信号の品質劣化解消の通知を受け取ると、自無線装置の前記第一送受信器および前記第二送受信器それぞれの送信用／受信用それぞれの動作周波数をホットスタンバイ構成時の無線周波数ｆ０’／無線周波数ｆ０に戻す。
【００２１】
（４）前記変調度制御手段は、ホットスタンバイ構成時に、前記隣接チャンネル干渉波により前記受信信号の品質が劣化したと判定した時に、自無線装置の第一変調器、第一復調器、および、第二変調器、第二復調器それぞれの変調度２ＮのＮ（Ｎ：自然数）を、ホットスタンバイ構成時の２倍に変更し、また、前記隣接チャンネル干渉波による前記受信信号の品質劣化を解消することができたと判定した時には、自無線装置の前記第一変調器、前記第一復調器、および、前記第二変調器、前記第二復調器それぞれの変調度２ＮのＮを（１／２）にして、ホットスタンバイ構成時の元の変調度に戻す手段である。なお、相手側の無線装置においても、該変調度制御手段は、ホットスタンバイ構成時に、対向する無線装置から前記隣接チャンネル干渉波による前記受信信号の品質劣化通知を受け取ると、自無線装置の第一変調器、第一復調器、および、第二変調器、第二復調器それぞれの変調度２ＮのＮを、ホットスタンバイ構成時の２倍に変更し、また、前記受信信号の品質劣化解消の通知を受け取ると、自無線装置および相手側の前記第二の無線装置の前記第一変調器、前記第一復調器、および、前記第二変調器、前記第二復調器それぞれの変調度２ＮのＮを（１／２）にして、ホットスタンバイ構成時の元の変調度に戻す。
【００２２】
（５）前記占有帯域制御手段は、ホットスタンバイ構成時に、前記隣接チャンネル干渉波により前記受信信号の品質が劣化したと判定した時に、自無線装置の前記第一変調器、前記第一復調器、および、前記第二変調器、前記第二復調器それぞれの占有帯域を、ホットスタンバイ構成時の半分の占有帯域に変更し、また、前記隣接チャンネル干渉波による前記受信信号の品質劣化を解消することができたと判定した時には、自無線装置の前記第一変調器、前記第一復調器、および、前記第二変調器、前記第二復調器それぞれの占有帯域を２倍して、ホットスタンバイ構成時の元の占有帯域に戻す手段である。なお、相手側の無線装置においても、該変調度制御手段は、ホットスタンバイ構成時に、対向する無線装置から前記隣接チャンネル干渉波による前記受信信号の品質劣化通知を受け取ると、自無線装置の前記第一変調器、前記第一復調器、および、前記第二変調器、前記第二復調器それぞれの占有帯域を、ホットスタンバイ構成時の半分の占有帯域に変更し、また、前記受信信号の品質劣化解消の通知を受け取ると、自無線装置の前記第一変調器、前記第一復調器、および、前記第二変調器、前記第二復調器それぞれの占有帯域を２倍して、ホットスタンバイ構成時の元の占有帯域に戻す。
【００２３】
（６）前記伝送データ合成手段は、前記第一送受信器および前記第二送受信器それぞれが受信した前記受信信号から品質の良い方の受信信号を選択して、受信データとして合成する手段である。
【００２４】
（７）前記構成変更手段は、前記隣接チャンネル干渉波により前記受信信号の品質が劣化したと判定した時、もしくは、対向する無線装置から前記隣接チャンネル干渉波による前記受信信号の品質劣化通知を受け取った時に、前記周波数変更手段、前記変調度制御手段、前記占有帯域制御手段を制御して、ホットスタンバイ構成から、前記下側無線周波数と前記上側無線周波数との二つの無線周波数を用いて同一データを送信するＦＤＤ（Frequency  Division  Duplex）ツインパス構成に構成変更する手段である。すなわち、該構成変更手段は、通常運用状態の自無線回線で、あらかじめ割り当てられた無線周波数ｆ０を用いて現用の前記第一送受信器（もしくは前記第二送受信器）から送信し、予備側の前記第二送受信器（もしくは前記第一送受信器）を待機させるという通常運用状態のホットスタンバイ構成から、前記無線周波数ｆ０の帯域を下側無線周波数ｆ１と上側無線周波数ｆ２とに二分し、前記第一送受信器は、前記下側無線周波数ｆ１（もしくは前記上側無線周波数ｆ２）で伝送し、前記第二送受信器は、前記上側無線周波数ｆ２（もしくは前記下側無線周波数ｆ１）で伝送するＦＤＤツインパス構成に変更するための手段である。
【００２５】
（８）前記構成復帰手段は、前記隣接チャンネル干渉波による前記受信信号の品質劣化を解消することができたと判定した時、もしくは、対向する無線装置から前記隣接チャンネル干渉波による前記受信信号の品質劣化解消の通知を受け取った時に、前記周波数変更手段、前記変調度制御手段、前記占有帯域制御手段を制御して、ＦＤＤツインパス構成から元のホットスタンバイ構成に戻すための手段である。すなわち、該構成復帰手段は、前記構成変更手段の逆の動作を行うものであり、前記第一送受信器が、前記下側無線周波数帯域ｆ１（もしくは前記上側無線周波数帯域ｆ２）で伝送し、前記第二送受信器が、前記上側無線周波数帯域ｆ２（もしくは前記上側無線周波数帯域ｆ１）で伝送するＦＤＤツインパス構成から、前記無線周波数ｆ０を用いて現用の前記第一送受信器（もしくは前記第二送受信器）から送信するホットスタンバイ構成に構成を復帰させるための手段である。
【００２６】
而して、隣接チャンネルの干渉波の影響を受けて無線伝送品質の劣化が発生した場合であっても、該干渉波が生じている無線回線を使用している二つの無線装置内の設定の変更のみを行うことにより、元の伝送容量のまま、隣接干渉波の影響を受けない状態に復帰することができ、無線伝送品質を良好な状態に戻すことができる。
【００２７】
（実施形態の構成例）
次に、本発明による無線通信システムの構成例について、図１を参照して詳細に説明する。図１は、本発明による無線通信システムの装置構成の一例を示す装置構成図である。
【００２８】
図１に示す無線通信システムは、ポイントツーポイント無線通信を行う第一無線装置、第二無線装置として、互いに対向する無線装置１０１および無線装置２０１を含んで構成されている。ここで、無線装置１０１および無線装置２０１は、同一の装置構成からなり、それぞれ、二つの無線送信系と二つの無線受信系とを備えている。そしてこれら二つの無線装置１０１および無線装置２０１を有する無線通信システムは、通常運用状態においては、いずれか一方の無線送信系を現用として、あらかじめ割り当てられた特定の無線周波数ｆ０（無線装置１０１の場合）または無線周波数ｆ０’（無線装置２０１の場合）を用いて、相手側の無線装置への送信動作を行い、他方の無線送信系を予備系として待機させるホットスタンバイ構成を採用している。図１において、同一構成の無線装置１０１，２０１においては、同一の機能ブロックには、同一の参照符号が付してある。また、無線装置１０１および無線装置２０１それぞれは、同一の機能の送受信器、変調器および復調器を二つずつ有するので、それら同一機能の二つの機器を識別するために、各機能ブロックの符号の末尾に「−１」又は「−２」なる符号を付した。同一機能の各機器の参照符号末尾に「−１」又は「−２」を付したことにより、両無線装置１０１，２０１が、同一機能を有する「第一の機能ブロック」および「第二の機能ブロック」でもって二重化した（１＋１）冗長構成であることを示している。例えば、符号１０２−１と符号２０２−１とは、それぞれ、無線装置１０１内の第一送受信器１０２−１と無線装置２０１内の第一送受信器２０２−１を意味し、符号１０２−２と符号２０２−２とは、それぞれ、無線装置１０１内の第二送受信器１０２−２と無線装置２０１内の第二送受信器２０２−２を意味している。
【００２９】
図１において、無線装置１０１は、第一送受信器１０２−１、第二送受信器１０２−２、第一変調器１０３−１、第二変調器１０３−２、第一復調器１０４−１、第二復調器１０４−２、隣接干渉波検出部１０５、無線信号制御部１０６、インタフェース部１０７、アンテナ部１０８、無線信号合成器１０９および伝送データ合成器１１０を備えて構成されている。そして、第一送受信器１０２−１、第一変調器１０３−１および第一復調器１０４−１が、２系統でなる冗長構成の無線装置１０１における一方の送受信系をなす。また、第二送受信器１０２−２、第二変調器１０３−２および第二復調器１０４−２が、その無線装置１０１における他方の送受信系をなしている。
【００３０】
一方、無線装置２０１においても、無線装置１０１と同様の構成からなっている。すなわち、無線装置２０１は、第一送受信器２０２−１、第二送受信器２０２−２、第一変調器２０３−１、第二変調器２０３−２、第一復調器２０４−１、第二復調器２０４−２、隣接干渉波検出部２０５、無線信号制御部２０６、インタフェース部２０７、アンテナ部２０８、無線信号合成器２０９および伝送データ合成器２１０を備えて構成されている。そして、第一送受信器２０２−１、第一変調器２０３−１および第一復調器２０４−１が、２系統でなる冗長構成の無線装置２０１における一方の送受信系をなす。また、第二送受信器２０２−２、第二変調器２０３−２および第二復調器２０４−２が、その無線装置２０１における他方の送受信系をなしている。
【００３１】
無線装置１０１と無線装置２０１とは、それぞれのアンテナ部１０８とアンテナ部２０８とを無線対向させて配置してある。このようなアンテナ部１０８とアンテナ部２０８との無線対向配置が、無線装置１０１と無線装置２０１との間でのポイントツーポイントの相互の無線伝送を可能にしている。また、無線装置１０１内の無線信号合成器１０９は、第一送受信器１０２−１および第二送受信器１０２−２それぞれからの無線信号を合成して、アンテナ部１０８へ出力する。同様に、無線装置２０１内の無線信号合成器２０９は、第一送受信器２０２−１および第二送受信器２０２−２それぞれからの無線信号を合成して、アンテナ部２０８へ出力する。そして、通常運用状態のホットスタンバイ構成時においては、一方の送受信器（例えば、第一送受信器１０２−１、第一送受信器２０２−１）が現用として送信信号をアンテナ部１０８、アンテナ部２０８へ出力し、他方の送受信器（例えば、第二送受信器１０２−２、第二送受信器２０２−２）は予備系として待機し、送信信号をアンテナ部１０８、アンテナ部２０８には出力しない。また、無線装置１０１内のアンテナ部１０８、無線装置２０１内のアンテナ部２０８によって無線受信した無線受信信号は、それぞれ、無線装置１０１内の無線信号合成器１０９、無線装置２０１内の無線信号合成器２０９を介して、第一送受信器１０２−１および第二送受信器１０２−２の双方、無線装置２０１内の第一送受信器２０２−１および第二送受信器２０２−２の双方へ分離出力される。
【００３２】
さらに、無線装置１０１内のアンテナ部１０８、無線装置２０１内のアンテナ部２０８によって無線受信した無線受信信号は、それぞれ、無線装置１０１内の無線信号合成器１０９、無線装置２０１内の無線信号合成器２０９を介して、無線装置１０１内の隣接干渉波検出部１０５、無線装置２０１内の隣接干渉波検出部２０５それぞれにも出力される。無線装置１０１内の隣接干渉波検出部１０５、無線装置２０１内の隣接干渉波検出部２０５は、それぞれ、入力されてくる無線受信信号に含まれている隣接チャンネル無線通信信号ｇの下側隣接干渉波と上側隣接干渉波との双方の干渉波の受信レベルを隣接波受信レベルｐとして検出して、それぞれ、無線装置１０１内の無線信号制御部１０６、無線装置２０１内の無線信号制御部２０６に出力する。なお、無線装置１０１内の隣接干渉波検出部１０５、無線装置２０１内の隣接干渉波検出部２０５には、それぞれ、無線装置１０１内の無線信号制御部１０６、無線装置２０１内の無線信号制御部２０６から、検出対象とする無線周波数情報、占有帯域情報が伝達され、隣接チャンネル無線通信信号ｇの隣接チャンネル帯域が指示される。隣接波受信レベルｐを受けた無線装置１０１内の無線信号制御部１０６および無線装置２０１内の無線信号制御部２０６は、隣接波受信レベルｐが隣接チャンネルの干渉検出用としてあらかじめ定めた干渉閾値以上になった場合に、後に詳述するように、隣接干渉波により伝送品質が劣化したものとそれぞれ判定する。
【００３３】
また、無線装置１０１内の第一送受信器１０２−１および第二送受信器１０２−２、無線装置２０１内の第一送受信器２０２−１および第二送受信器２０２−２は、それぞれ、無線装置１０１内の無線信号制御部１０６、無線装置２０１内の無線信号制御部２０６から出力される周波数設定信号ｋにより、動作すべき周波数帯域が設定され、無線装置１０１と無線装置２０１と間で、通常運用状態においては、あらかじめ割り当てられた特定の無線周波数ｆ０と無線周波数ｆ０’とを用いたＦＤＤ方式による無線信号の送受信動作、もしくは、隣接干渉波による伝送品質の劣化が検出された場合には、無線周波数ｆ０と無線周波数ｆ０’とのそれぞれの帯域を上下に二分した二つの無線周波数（ｆ１+ｆ２）と二つの無線周波数（ｆ１’+ｆ２’）とを用いて同一データを送受信するＦＤＤツインパス方式による無線信号の送受信動作を行う。
【００３４】
ここで、無線周波数ｆ０、無線周波数（ｆ１+ｆ２）は、無線装置１０１から無線装置２０１に送信する無線信号の無線周波数であり、無線周波数ｆ０’、無線周波数（ｆ１’+ｆ２’）は、無線装置２０１から無線装置１０１に送信する無線信号の無線周波数である。無線周波数ｆ１と無線周波数ｆ２とは、それぞれ、無線周波数ｆ０の帯域を上下に二分した際の下側無線周波数（周波数帯Ａ）と上側無線周波数（周波数帯Ｂ）とである。また、無線周波数ｆ１’と無線周波数ｆ２’とは、それぞれ、無線周波数ｆ０’の帯域を上下に二分した際の下側無線周波数（周波数帯Ａ）と上側無線周波数（周波数帯Ｂ）とである。
【００３５】
また、無線装置１０１内の第一送受信器１０２−１および第二送受信器１０２−２、無線装置２０１内の第一送受信器２０２−１および第二送受信器２０２−２は、それぞれ、無線装置１０１内の無線信号合成器１０９、無線装置２０１内の無線信号合成器２０９を介して、入力されてくる無線受信信号の受信周波数帯域内の受信レベルを検出して、無線通信信号受信レベルｈとして、それぞれ、無線装置１０１内の無線信号制御部１０６、無線装置２０１内の無線信号制御部２０６に出力する。
【００３６】
また、無線装置１０１内の第一変調器１０３−１および第二変調器１０３−２、無線装置２０１内の第一変調器２０３−１および第二変調器２０３−２は、それぞれ、無線装置１０１内の伝送データ合成器１１０、無線装置２０１内の伝送データ合成器２１０を介して入力されてくるインタフェ−ス信号ｅを変調デ−タｆに変調して、それぞれ、無線装置１０１内の第一送受信器１０２−１および第二送受信器１０２−２、無線装置２０１内の第一送受信器２０２−１および第二送受信器２０２−２に出力する。
【００３７】
また、無線装置１０１内の第一復調器１０４−１および第二復調器１０４−２、無線装置２０１内の第一復調器２０４−１および第二復調器２０４−２は、それぞれ、無線装置１０１内の第一送受信器１０２−１および第二送受信器１０２−２、無線装置２０１内の第一送受信器２０２−１および第二送受信器２０２−２それぞれにおいて無線受信した受信信号ａから、対向する相手側の無線装置が送信した無線チャンネル（つまり、対向無線装置の変調データｆ）のみを復調して、復調信号ｂを生成して、それぞれ、無線装置１０１内の伝送データ合成器１１０、無線装置２０１内の伝送データ合成器２１０に出力する。
【００３８】
また、無線装置１０１内の伝送データ合成器１１０、無線装置２０１内の伝送データ合成器２１０は、それぞれ、無線装置１０１内の第一復調器１０４−１および第二復調器１０４−２のそれぞれ、無線装置２０１内の第一復調器２０４−１および第二復調器２０４−２のそれぞれから同時に入力されてくる復調信号ｂの中からエラー率の低い方の復調信号を判別して、エラーを解消するように合成して伝送データｊを生成して、それぞれ、無線装置１０１内のインタフェース部１０７、無線装置２０１内のインタフェース部２０７に出力する。すなわち、無線装置１０１内の伝送データ合成器１１０、無線装置２０１内の伝送データ合成器２１０は、それぞれ、第一送受信器１０２−１および第二送受信器１０２−２、第一送受信器２０２−１および第二送受信器２０２−２それぞれが受信した受信信号のうち、受信信号品質の良い方の受信信号を選択して、受信した伝送データｊとして合成して出力する伝送データ合成手段を提供する。
【００３９】
さらに、無線装置１０１内の伝送データ合成器１１０、無線装置２０１内の伝送データ合成器２１０は、それぞれ、無線装置１０１内の第一変調器１０３−１および第二変調器１０３−２、無線装置２０１内の第一変調器２０３−１および第二変調器２０３−２それぞれに対して、無線装置１０１内のインタフェース部１０７、無線装置２０１内のインタフェース部２０７それぞれからのインタフェース信号ｅを分岐出力する。
【００４０】
また、無線装置１０１内のインタフェース部１０７、無線装置２０１内のインタフェース部２０７は、それぞれ、対向する無線装置に対して無線装置１０１内の伝送データ合成器１１０、無線装置２０１内の伝送データ合成器２１０それぞれを介して送信しようとする送信データｄを、インタフェース信号ｅとして、また、無線装置１０１内の伝送データ合成器１１０、無線装置２０１内の伝送データ合成器２１０それぞれを介して対向する無線装置から無線受信した伝送データｊを、受信データｃとして、外部とやり取りするためにインタフェースする。
【００４１】
また、無線装置１０１内の無線信号制御部１０６、無線装置２０１内の無線信号制御部２０６は、それぞれ、通常運用状態のホットスタンバイ構成時において、無線装置１０１内の第一復調器１０４−１および第二復調器１０４−２、無線装置２０１内の第一復調器２０４−１および第二復調器２０４−２のいずれかにおいて、復調信号ｂとしてエラーを含んだ信号が復調された時、当該エラーの原因が隣接干渉波の影響により生じたか否かを判別し、隣接干渉波が原因であることを検出した場合に、現状のホットスタンバイ構成をＦＤＤツインパス構成へ変更することを決定して、周波数変更、占有帯域変更、および、変調度変更の各変更制御を行う。さらに、無線装置１０１内の無線信号制御部１０６、無線装置２０１内の無線信号制御部２０６は、それぞれ、ＦＤＤツインパス構成時に、無線装置１０１内の第一復調器１０４−１および第二復調器１０４−２、無線装置２０１内の第一復調器２０４−１および第二復調器２０４−２のいずれにおいても、あらかじめ定めた復帰監視時間Ｔ１の間、継続して、復調信号ｂとしてエラーがない信号が復調された時、現状のＦＤＤツインパス構成をホットスタンバイ構成に戻すことを決定して、周波数変更、占有帯域変更、および、変調度変更の各変更制御を行う。
【００４２】
なお、かくのごとき変更制御は、対向する相手側の無線装置と同期して実行する必要があるため、周波数変更、占有帯域変更、変調度変更に関する内容は、あらかじめ、対向無線装置と調整して行うような構成を備えている。つまり、対向無線装置との調整は、次の仕組みにより行う。一方の無線装置例えば無線装置１０１においては、変更制御の内容を示す変調制御信号ｑを、無線装置１０１内の第一変調器１０３−１および第二変調器１０３−２それぞれにおいて、送信しようとする無線信号すなわちインタフェース信号ｅと多重化して、第一送受信器１０２−１および第二送受信器１０２−２それぞれから対向無線装置例えば無線装置２０１側に送信する。一方、対向無線装置例えば無線装置２０１においては、相手側の無線装置例えば無線装置１０１から無線送信されてきた受信信号ａの中から、変更制御の内容を示す変調制御信号ｑに相当する受信信号を、無線装置２０１内の第一復調器２０４−１および第二復調器２０４−２それぞれにおいて、受信情報ｍとして分離して、無線装置２０１内の無線信号制御部２０６に出力することにより、相手側の無線装置例えば無線装置１０１の変更制御に関する内容を確認する動作を行う。
【００４３】
次に、無線装置１０１内の隣接干渉波検出部１０５、無線装置２０１内の隣接干渉波検出部２０５の内部構成の一例について、図２を参照してさらに説明する。図２は、図１に示す無線通信システムを構成する無線装置１０１内の隣接干渉波検出部１０５の内部構成の一例を示すブロック構成図である。なお、図２には、無線装置１０１内の隣接干渉波検出部１０５の内部構成について示しているが、対向する無線装置２０１内の隣接干渉波検出部２０５についても全く同様の内部構成からなっている。
【００４４】
図２に示すように、無線装置１０１内の隣接干渉波検出部１０５は、下側隣接チャンネル受信器４０１−１および上側隣接チャンネル受信器４０１−２と、下側受信レベル検出器４０２−１および上側受信レベル検出器４０２−２と、を少なくとも含んで構成され、受信信号の品質が劣化した原因が、自無線装置１０１が使用する受信用の無線周波数ｆ０’として占有する無線周波数帯域への隣接チャンネル干渉波によるものか否かを検出する隣接干渉波検出手段を提供する。ここで、隣接干渉波検出部１０５は、前述したように、無線信号制御部１０６から、隣接チャンネル情報ｓにより、無線周波数情報、占有帯域情報が伝達され、検出対象となる隣接チャンネル無線信号ｇの隣接チャンネル帯域が指示される。
【００４５】
下側隣接チャンネル受信器４０１−１は、無線信号合成器１０９から出力された隣接チャンネル無線信号ｇから受信用の無線周波数ｆ０’の下側の隣接チャンネル受信信号ｒを抽出する。一方、上側隣接チャンネル受信器４０１−２は、隣接チャンネル無線信号ｇから受信用の無線周波数ｆ０’の上側の隣接チャンネル受信信号ｒを抽出する。また、下側受信レベル検出器４０２−１、上側受信レベル検出器４０２−２は、それぞれ、下側隣接チャンネル受信器４０１−１が抽出した下側の隣接チャンネル受信信号ｒの受信レベル、上側隣接チャンネル受信器４０１−２が抽出した上側の隣接チャンネル受信信号ｒの受信レベルを検出する。検出した下側の隣接チャンネル受信信号ｒの受信レベルおよび上側の隣接チャンネル受信信号ｒの受信レベルは、それぞれ、隣接波受信レベルｐとして無線信号制御部１０６に対して出力され、受信信号ａの品質に対する隣接干渉波の影響の有無が判定される。
【００４６】
次に、無線装置１０１内の無線信号制御部１０６、無線装置２０１内の無線信号制御部２０６の内部構成の一例について、図３を参照してさらに説明する。図３は、図１に示す無線通信システムを構成する無線装置１０１内の無線信号制御部１０６の内部構成の一例を示すブロック構成図である。なお、図３には、無線装置１０１内の無線信号制御部１０６の内部構成について示しているが、対向する無線装置２０１内の無線信号制御部２０６についても全く同様の内部構成からなっている。
【００４７】
図３において破線枠によって囲んで示すように、無線装置１０１内の無線信号制御部１０６は、回線品質監視部３０１、対向局間同期判定部３０３、判断部３０４、設定部３０７、信号制御部３０８、周波数制御部３０９、占有帯域制御部３１０および変調度制御部３１１を少なくとも含んで構成される。なお、図３には、無線信号制御部１０６との間で情報のやり取りを行う周辺の機能ブロックとして、第一送受信器１０２−１および第二送受信器１０２−２、第一変調器１０３−１および第二変調器１０３−２、第一復調器１０４−１および第二復調器１０４−２、および、隣接干渉波検出部１０５も合わせて記載している。
【００４８】
回線品質監視部３０１は、第一復調器１０４−１および第二復調器１０４−２それぞれから出力される受信情報ｍに含まれている、第一復調器１０４−１および第二復調器１０４−２それぞれにおける回線信号のエラー率情報である回線品質信号Ａを監視する部位であり、監視結果に基づいて回線品質が劣化しているか否かを判別して、品質の劣化状態を回線劣化信号Ｂとして判断部３０４へ伝達する。すなわち、回線品質監視部３０１は、自無線回線の受信信号の品質が劣化したか否かを検出する回線品質監視手段を提供する。
【００４９】
また、対向局間同期判定部３０３は、第一復調器１０４−１および第二復調器１０４−２それぞれから出力される受信情報ｍに含まれている対向局変更要求信号Ｆの情報を分離して抽出し、相手側の対向無線装置（図３の場合には、無線装置２０１）からの周波数変更、占有帯域変更、変調度変更情報の有無を確認して、対向無線装置からの応答信号Ｇとして判断部３０４へ伝達する。つまり、対向局間同期判定部３０３は、ホットスタンバイ構成からＦＤＤツインパス構成に構成変更する際に、もしくは、ＦＤＤツインパス構成から元のホットスタンバイ構成に戻す際に、対向する二つの無線装置１０１、無線装置２０１間で対向局変更要求情報Ｆを交換し合うことにより、無線装置１０１と無線装置２０１との間の構成変更時の動作および構成復帰時の動作の同期合わせを行うための対向局間同期判定手段を提供する。
【００５０】
また、設定部３０７は、無線周波数の変更制御を行うための周波数チャンネル情報、隣接チャンネル情報とこれに伴う変調度情報、占有帯域情報を保有して、設定情報Ｋとして、判断部３０４に通知することにより、通常運用状態時におけるホットスタンバイ構成と回線品質劣化時におけるＦＤＤツインパス構成との間の構成変更時の無線周波数、変調度、占有帯域に関する設定を実施し、実施した設定内容を、不揮発性メモリによりバックアップする。
【００５１】
また、判断部３０４は、設定部３０７からの設定情報Ｋによって、設定部３０７に設定されていたホットスタンバイ構成とＦＤＤツインパス構成との構成変更時の周波数変更、占有帯域変更、変調度変更情報を取得して、通常時の装置設定状態と回線品質劣化時の装置設定状態とを確認する。そして、回線品質監視部３０１から伝達された回線劣化情報Ｂにより、エラー率が劣化したことを検出した場合、その原因が、隣接干渉波による品質劣化か否かを隣接干渉波検出部１０５から出力される隣接波受信レベルｐの状態により判定する。つまり、隣接干渉波検出部１０５から出力される干渉波受信レベルｐの確認結果、下側もしくは上側の隣接チャンネルの隣接波受信レベルｐが、干渉検出用としてあらかじめ定めた干渉閾値以上であり、隣接干渉波として存在している場合には、隣接干渉波による回線品質の劣化が発生したものと判定する。
【００５２】
隣接干渉波による回線品質の劣化が発生した場合、対向する相手側の無線装置２０１に対し周波数変更、占有帯域変更、変調度変更を要求する要求情報を、変調制御信号ｑに含めて、第一変調器１０３−１および第二変調器１０３−２に出力する。その結果、第一変調器１０３−１および第二変調器１０３−２において、変調制御信号ｑとインタフェース信号ｅとを多重化して、第一送受信器１０２−１および第二送受信器１０２−２を介して、対向する相手側の無線装置２０１に対して伝達する。
【００５３】
また、変調制御信号ｑに含めて伝達した前記要求情報の受信結果、対向する相手側の無線装置２０１が実施しようとする対応状況は、ＡＣＫ（Acknowledge）信号（本実施形態においては対向局変更要求信号Ｆと同一の情報からなる確認信号）として、受信情報ｍに含まれて返送されてくる。応答信号Ｇとして返送されてくる。したがって、対向する相手側の無線装置２０１から返送されてきた受信情報ｍに含まれているＡＣＫ信号を対向局間同期判定部３０３にて抽出して、応答信号Ｇとして生成した内容に基づいて、相手側の無線装置２０１の対応状況の確認が得られた時点で、判断部３０４は、ホットスタンバイ構成からＦＤＤツインパス構成に構成変更を行う。つまり、判断部３０４は、相手側の無線装置２０１と同期して構成変更を行うために、周波数信号Ｎ、占有帯域信号Ｑ、変調方式信号Ｒを含む無線制御信号Ｍを生成して、信号制御部３０８に伝達する。さらに、構成変更時の隣接波に関する情報を、隣接チャンネル情報ｓとして隣接干渉波検出部１０５へ出力して、ＦＤＤツインパス構成時における下側隣接チャンネル帯域と上側隣接チャンネル帯域との受信レベルを検出するための設定を行わせる。
【００５４】
また、図３に示す信号制御部３０８は、判断部３０４からの無線制御信号Ｍを受け取って、周波数信号Ｎ、占有帯域信号Ｑおよび変調方式信号Ｒを抽出し、それぞれ、周波数制御部３０９、占有帯域制御部３１０および変調度制御部３１１へ出力する。すなわち、信号制御部３０８は、隣接チャンネル干渉波により受信信号の品質が劣化したと判定した時、もしくは、対向する無線装置から隣接チャンネル干渉波による受信信号の品質の劣化通知（つまり、構成変更に関する前記要求情報）を受け取った時に、周波数制御部３０９、占有帯域制御部３１０および変調度制御部３１１を制御して、通常運用状態のホットスタンバイ構成からＦＤＤ（Frequency  Division  Duplex）ツインパス構成に構成変更する構成制御手段を提供すると同時に、隣接チャンネル干渉波による受信信号の品質劣化を解消することができたと判定した時、もしくは、対向する無線装置から隣接チャンネル干渉波による受信信号の品質劣化解消の通知（つまり、構成復帰に関する前記要求情報）を受け取った時には、周波数制御部３０９、占有帯域制御部３１０および変調度制御部３１１を制御して、ＦＤＤツインパス構成から元のホットスタンバイ構成に戻すための構成復帰手段も提供している。
【００５５】
周波数制御部３０９は、信号制御部３０８からの周波数信号Ｎを受け取ると、周波数設定信号Ｔを生成して、第一送受信器１０２−１および第二送受信器１０２−２それぞれへ出力する。すなわち、周波数制御部３０９は、隣接チャンネル干渉波により受信信号の品質が劣化したと判定した時、もしくは、対向する無線装置から隣接チャンネル干渉波による受信信号の品質劣化通知を受け取った時に、一方の第一送受信器１０２−１の送信用／受信用それぞれの動作周波数を、通常運用状態のホットスタンバイ構成時の無線周波数ｆ０／無線周波数ｆ０’の帯域を上下に二分した際の下側無線周波数ｆ１／下側無線周波数ｆ１’（もしくは上側無線周波数ｆ２／上側無線周波数ｆ２’）に、他方の第二送受信器１０２−２の送信用／受信用それぞれの動作周波数を、無線周波数ｆ０／無線周波数ｆ０’の帯域の上側無線周波数ｆ２／上側無線周波数ｆ２’（もしくは下側無線周波数ｆ１／下側無線周波数ｆ１’）に、無線周波数ｆ０／無線周波数ｆ０’から周波数変更し、また、隣接チャンネル干渉波による受信信号の品質劣化を解消することができたと判定した時、もしくは、対向する無線装置から隣接チャンネル干渉波による受信信号の品質劣化解消の通知を受け取った時には、第一送受信器１０２−１および第二送受信器１０２−２それぞれの送信用／受信用それぞれの動作周波数をホットスタンバイ構成時の元の無線周波数ｆ０／無線周波数ｆ０’に戻す周波数制御手段を提供する。
【００５６】
また、占有帯域制御部３１０は、信号制御部３０８からの占有帯域信号Ｑを受け取ると、占有帯域設定信号Ｕを生成して、第一変調器１０３−１、第一復調器１０４−１、および、第二変調器１０３−２、第二復調器１０４−２それぞれに出力する。すなわち、占有帯域制御部３１０は、隣接チャンネル干渉波により受信信号の品質が劣化したと判定した時、もしくは、対向する無線装置から隣接チャンネル干渉波による受信信号の品質劣化通知を受け取った時に、第一変調器１０３−１、第一復調器１０４−１、および、第二変調器１０３−２、第二復調器１０４−２それぞれの占有帯域を、通常運用状態のホットスタンバイ構成時の半分の占有帯域に変更し、また、隣接チャンネル干渉波による受信信号の品質劣化を解消することができたと判定した時、もしくは、対向する無線装置から前記隣接チャンネル干渉波による受信信号の品質劣化解消の通知を受け取った時には、第一変調器１０３−１、第一復調器１０４−１、および、第二変調器１０３−２、第二復調器１０４−２それぞれの占有帯域を２倍して、ホットスタンバイ構成時の元の占有帯域に戻す占有帯域制御手段を提供する。
【００５７】
また、変調度制御部３１１は、信号制御部３０８からの変調方式信号Ｒを受け取ると、変調方式設定信号Ｗを生成して、第一変調器１０３−１、第一復調器１０４−１、および、第二変調器１０３−２、第二復調器１０４−２それぞれに出力する。すなわち、変調度制御部３１１は、隣接チャンネル干渉波により受信信号の品質が劣化したと判定した時、もしくは、対向する無線装置から隣接チャンネル干渉波による受信信号の品質劣化通知を受け取った時に、第一変調器１０３−１、第一復調器１０４−１、および、第二変調器１０３−２、第二復調器１０４−２それぞれの変調度２ＮのＮ（Ｎ：自然数）を、通常運用状態のホットスタンバイ構成時の２倍に変更し、また、隣接チャンネル干渉波による受信信号の品質劣化を解消することができたと判定した時、もしくは、対向する無線装置から前記隣接チャンネル干渉波による受信信号の品質劣化解消の通知を受け取った時には、第一変調器１０３−１、第一復調器１０４−１、および、第二変調器１０３−２、第二復調器１０４−２それぞれの変調度２ＮのＮを（１／２）にして、ホットスタンバイ構成時の元の変調度に戻す変調度制御手段を提供する。
【００５８】
第一送受信器１０２−１および第二送受信器１０２−２は、周波数制御部３０９からの周波数設定信号Ｔにより、無線通信する際の無線周波数（無線チャンネル）を設定すると同時に、受信帯域内の受信レベルを検出して、それぞれの無線通信信号受信レベルｈとして、無線信号制御部１０６の判断部３０４へ出力する。第一変調器１０３−１と第一復調器１０４−１および第二変調器１０３−２と第二復調器１０４−２とは、それぞれ、周波数制御部３０９からの占有帯域設定信号Ｕおよび変調方式設定信号Ｗにより、無線通信する際の占有帯域および変調度を設定する。
【００５９】
（実施形態の動作例の説明）
次に、本発明の一実施形態として図１〜図３に示した無線通信システムの動作例について詳細に説明する。
【００６０】
なお、以下の説明において、無線装置１０１内の第一送受信器１０２−１および第二送受信器１０２−２、無線装置２０１内の第一送受信器２０２−１および第二送受信器２０２−２は、正常な通常運用状態のホットスタンバイ構成時には、無線装置１０１、無線装置２０１間における無線通信データの送信動作、受信動作を、それぞれ、無線周波数ｆ０（無線装置１０１→無線装置２０１）、無線周波数ｆ０’ （無線装置２０１→無線装置１０１）を用いて行う。
【００６１】
一方、品質劣化状態のＦＤＤツインパス構成時には、無線装置１０１、無線装置２０１間における無線通信データの送信動作、受信動作を、それぞれ、二つの無線周波数ｆ１および無線周波数ｆ２（無線装置１０１→無線装置２０１）、二つの無線周波数ｆ１’および無線周波数ｆ２’（無線装置２０１→無線装置１０１）を用いて行う。
【００６２】
ここで、無線周波数ｆ０と無線周波数ｆ０’とは、一般のＦＤＤシステムのＧｏ（上り回線）、Ｒｅｔｕｒｎ（下り回線）それぞれの周波数に該当する。また、無線周波数ｆ１と無線周波数ｆ１’、 無線周波数ｆ２と無線周波数ｆ２’とについても、同様の関係であり、それぞれ、一般のＦＤＤシステムのＧｏ（上り回線）、Ｒｅｔｕｒｎ（下り回線）それぞれの周波数に該当する。
【００６３】
また、無線装置１０１内の第一変調器１０３−１および第二変調器１０３−２、無線装置２０１内の第一変調器２０３−１および第二変調器２０３−２は、それぞれ、インタフェース部１０７および伝送データ合成器１１０、インタフェース部２０７および伝送データ合成器２１０を介して出力されてくるインタフェース信号ｅを、無線信号制御部１０６、無線信号制御部２０６それぞれからの変調方式設定信号Ｗにより設定される変調度を用いて変調して、変調データｆを生成する。
【００６４】
また、無線装置１０１内の第一復調器１０４−１および第二復調器１０４−２、無線装置２０１内の第一復調器２０４−１および第二復調器２０４−２は、それぞれ、対向する相手側の無線装置２０１、無線装置１０１からの無線チャンネルから分離した受信信号ａの中から、対向する相手側の無線装置２０１内の第一送受信器２０２−１および第二送受信器２０２−２、無線装置１０１内の第一送受信器１０２−１および第二送受信器１０２−２それぞれが送信した変調データｆに該当する信号を、無線信号制御部１０６、無線信号制御部２０６それぞれからの変調方式設定信号Ｗにより設定される変調度を用いて復調して、復調信号ｂを生成する。
【００６５】
また、無線装置１０１内の隣接干渉波検出部１０５、無線装置２０１内の隣接干渉波検出部２０５は、それぞれ、無線信号合成器１０９、無線信号合成器２０９からの隣接チャンネル無線通信信号ｇの中から、無線信号制御部１０６、無線信号制御部２０６それぞれの判断部３０４からの隣接チャンネル情報ｓに指定された下側チャンネルと上側チャンネルとの双方の信号の受信レベルを抽出し、隣接チャンネルの隣接波受信レベルｐとして検出して、無線信号制御部１０６、無線信号制御部２０６それぞれの判断部３０４に出力する。
【００６６】
［隣接チャンネル干渉が生じていると判断する動作］
次に、無線装置１０１内の無線信号制御部１０６において、隣接チャンネルからの干渉が発生していることを判断する動作の一例について、図４のフローチャートを参照しながら詳細に説明する。図４は、図１に示した無線通信システムを構成する無線装置１０１内の無線信号制御部１０６において隣接チャンネルからの干渉が発生していることを判断する動作の一例を説明するためのフローチャートである。なお、図４のフローチャートの説明においては、無線装置１０１内の無線信号制御部１０６の場合について説明するが、対向する無線装置２０１内の無線信号制御部２０６についても、無線装置１０１と無線装置２０１とを入れ替えるだけで全く同様の動作を行うことが言うまでもない。
【００６７】
図４のフローチャートに示すように、まず、通常運用状態のホットスタンバイ構成時には、無線装置１０１内の無線信号制御部１０６は、無線装置１０１内の第一復調器１０４−１および第二復調器１０４−２それぞれから出力される受信情報ｍに含まれている、第一復調器１０４−１および第二復調器１０４−２それぞれにおける回線信号のエラー率情報である回線品質信号Ａを、回線品質監視部３０１において監視して、回線品質信号Ａの監視結果に基づいて、回線品質が劣化していると認識した場合には、回線劣化信号Ｂとして、判断部３０４へ伝達する（ステップＳ１）。
【００６８】
次に、回線品質監視部３０１からの回線劣化信号Ｂを受け取った判断部３０４は、無線装置１０１内の第一送受信器１０２−１および第二送受信器１０２−２それぞれから出力されてくる無線通信信号受信レベルｈが、受信無線信号のエラーを生じるような異常な受信レベルにあるか否かを、あらかじめ定めた受信閾値と比較することにより確認する（ステップＳ２）。降雨やフェーディング等の影響を受けて無線通信信号受信レベルｈがあらかじめ定めた前記受信閾値よりも低下していた場合には（ステップＳ２のＮｏ）、回線劣化信号Ｂが示す回線品質の劣化の原因は、隣接チャンネル干渉による劣化によるものではないと判定する（ステップＳ３）。
【００６９】
一方、無線通信信号受信レベルｈが前記受信閾値以上に達していて、異常な受信レベルではなかった場合には（ステップＳ２のＹｅｓ）、次に、隣接干渉波検出部１０５から出力されてくる下側隣接チャンネル、上側隣接チャンネルのいずれかの隣接波受信レベルｐがあらかじめ定めた干渉閾値以上になっているか否かを確認する（ステップＳ４）。下側隣接チャンネル、上側隣接チャンネルのいずれの隣接波受信レベルｐも、前記干渉閾値よりも低い場合は（ステップＳ４のＮｏ）、回線劣化信号Ｂが示す回線品質の劣化の原因は、隣接チャンネル干渉による劣化によるものではないと判定する（ステップＳ３）。一方、下側隣接チャンネル、上側隣接チャンネルのいずれかの隣接波受信レベルｐが前記干渉閾値以上であった場合には（ステップＳ４のＹｅｓ）、隣接チャンネル干渉による品質劣化が発生しているものと判定する（ステップＳ５）。
【００７０】
そして、下側隣接チャンネルあるいは上側隣接チャンネルからの影響を解消させるために、ホットスタンバイ構成からＦＤＤツインパス構成へ構成変更するための動作を起動する（ステップＳ６）。
【００７１】
［ホットスタンバイ構成からＦＤＤツインパス構成へ構成変更するための動作］
次に、無線装置１０１内の無線信号制御部１０６において、ホットスタンバイ構成からＦＤＤツインパス構成へ構成変更する動作の一例について、図５Ａ及び図５Ｂのフローチャートを参照しながら詳細に説明する。図５Ａは、図１に示した無線通信システムを構成する無線装置１０１内の無線信号制御部１０６においてホットスタンバイ構成からＦＤＤツインパス構成へ構成変更する動作の一例を説明するためのフローチャートの前半部分であり、図５Ｂはそのフローチャートの後半部分である。図５Ａの下部に○で囲んで記載したＡ，Ｂ及びＣの点は、図５Ｂの上部に○で囲んで記載したＡ，Ｂ及びＣの点にそれぞれ繋がっているものとする。即ち、図５Ａ及び図５Ｂを、両図におけるＡ，Ｂ及びＣの点でもって結合した図が、１つのフローチャートを表している。このように、図５Ａ及び図５Ｂを、両図におけるＡ，Ｂ及びＣの点でもって結合した１つの図が１つのフローチャートを表しているので、以下では、結合された図５Ａ及び図５Ｂを図５と総称することとする。なお、図５のフローチャートの説明においては、無線装置１０１内の無線信号制御部１０６が回線品質の劣化を検出した場合について説明するが、対向する無線装置２０１内の無線信号制御部２０６が回線品質の劣化を検出した場合についても、無線装置１０１と無線装置２０１とを入れ替えるだけで全く同様の動作を行うことは言うまでもない。
【００７２】
図５のフローチャートに示すように、隣接チャンネルからの干渉波の影響を解消させるために、ホットスタンバイ構成からＦＤＤツインパス構成へ構成変更するための動作を開始するのに先立って、まず、対向する相手側の無線装置２０１との同期取りを行うために、無線装置１０１内の無線信号制御部１０６の判断部３０４において、相手側の無線装置２０１に対して構成の変更を要求する対向局構成変更要求信号Ｆを、変調制御信号ｑに含めて、第一変調器１０３−１および第二変調器１０３−２においてインタフェース信号ｅと多重化して、対向する相手側の無線装置２０１に対して送信する（ステップＳ１１）。
【００７３】
対向する相手側の無線装置２０１は、相手側の無線装置１０１からの変調制御信号ｑに含まれた対向局構成変更要求信号Ｆを受け取ると（ステップＳ１２）、第一復調器２０４−１および第二復調器２０４−２において、変調制御信号ｑに含まれた対向局構成変更要求信号Ｆを分離して、無線装置２０１内の無線信号制御部２０６の対向局間同期判定部３０３へ出力する。対向局間同期判定部３０３は、相手側の無線装置１０１においてホットスタンバイ構成からＦＤＤツインパス構成へ構成変更しようとしているので、当該無線装置２０１も同期を取って、同様の構成変更動作を行う必要があることを認識し、構成変更を行うための応答信号Ｇを生成して、無線信号制御部２０６の判断部３０４に出力するとともに、要求を受け付けた旨を示すＡＣＫ（Acknowledge）信号として、対向局構成変更要求信号Ｆを含む変調制御信号ｑを相手側の無線装置１０１に返送する（ステップＳ１３）。
【００７４】
応答信号Ｇを受け取った無線装置２０１内の無線信号制御部２０６の判断部３０４は、無線制御信号Ｍを信号制御部３０８に出力して、ホットスタンバイ構成からＦＤＤツインパス構成に構成を変更するために、無線周波数変更、占有帯域変更、変調度変更を行うことを指示する（ステップＳ１５）。同様に、対向する相手側の無線装置２０１に対して対向局構成変更要求信号Ｆを含む変調制御信号ｑを送信した無線装置１０１側の判断部３０４においても、対向する相手側の無線装置２０１側からＡＣＫ信号として返送されてきた対向局構成変更要求信号Ｆを含む変調制御信号ｑを検知すると、対向局間同期判定部３０３にて応答信号Ｇを生成して、判断部３０４に出力してくる（ステップＳ１４）。応答信号Ｇを受け取った判断部３０４は、無線制御信号Ｍを無線装置１０１内の信号制御部３０８に出力して、ホットスタンバイ構成からＦＤＤツインパス構成に構成を変更するために、無線周波数変更、占有帯域変更、変調度変更を行うことを指示する（ステップＳ１６）。
【００７５】
無線装置２０１内の無線信号制御部２０６から、信号制御部３０８および周波数制御部３０９を介して、無線周波数変更の指示となる周波数設定信号Ｔを受け取った無線装置２０１内の一方の第一送受信器２０２−１においては、送信系／受信系それぞれの動作周波数を、ホットスタンバイ構成時の無線周波数ｆ０’／無線周波数ｆ０の帯域を上下に二分した下側チャンネルすなわち下側無線周波数ｆ１’／下側無線周波数ｆ１に無線周波数ｆ０’／無線周波数ｆ０から変更して設定し、他方の第二送受信器２０２−２においては、送信系／受信系それぞれの動作周波数を、無線周波数ｆ０’／無線周波数ｆ０の帯域を上下に二分した上側チャンネルすなわち上側無線周波数ｆ２’／上側無線周波数ｆ２に無線周波数ｆ０’／無線周波数ｆ０から変更して設定する（ステップＳ１７）。同様に、無線装置１０１内の無線信号制御部１０６から、信号制御部３０８および周波数制御部３０９を介して、無線周波数変更の指示となる周波数設定信号Ｔを受け取った無線装置１０１内の一方の第一送受信器１０２−１においては、送信系／受信系それぞれの動作周波数を、ホットスタンバイ構成時の無線周波数ｆ０／無線周波数ｆ０’を上下に二分した下側チャンネルすなわち下側無線周波数ｆ１／下側無線周波数ｆ１’に無線周波数ｆ０／無線周波数ｆ０’から変更して設定し、他方の第二送受信器１０２−２においては、無線周波数ｆ０／無線周波数ｆ０’を上下に二分した上側チャンネルすなわち上側無線周波数ｆ２／上側無線周波数ｆ２’に無線周波数ｆ０／無線周波数ｆ０’から変更して設定する（ステップＳ１８）
【００７６】
また、無線装置２０１内の無線信号制御部２０６から、信号制御部３０８および占有帯域制御部３１０を介して、占有帯域変更の指示となる占有帯域設定信号Ｕを受け取った無線装置２０１内の一方の第一変調器２０３−１および第一復調器２０４−１においては、それぞれの占有周波数帯域を、ホットスタンバイ構成時の占有周波数帯域の半分の（１／２）に変更して設定し、他方の第二変調器２０３−２および第二復調器２０４−２においても、それぞれの占有周波数帯域を、ホットスタンバイ構成時の占有周波数帯域の半分の（１／２）に変更して設定する（ステップＳ１９）。同様に、無線装置１０１内の無線信号制御部１０６から、信号制御部３０８および占有帯域制御部３１０を介して、占有帯域変更の指示となる占有帯域設定信号Ｕを受け取った無線装置１０１内の一方の第一変調器１０３−１および第一復調器１０４−１においては、それぞれの占有周波数帯域を、ホットスタンバイ構成時の占有周波数帯域の半分の（１／２）に変更して設定し、他方の第二変調器１０３−２および第二復調器１０４−２においても、それぞれの占有周波数帯域を、ホットスタンバイ構成時の占有周波数帯域の半分の（１／２）に変更して設定する（ステップＳ２０）。
【００７７】
また、無線装置２０１内の無線信号制御部２０６から、信号制御部３０８および変調度制御部３１１を介して、変調度変更の指示となる変調方式設定信号Ｗを受け取った無線装置２０１内の一方の第一変調器２０３−１および第一復調器２０４−１においては、それぞれの変調度を、ホットスタンバイ構成時の変調度２ＮのＮを２倍にした値すなわち２２Ｎと等価な値に変更して設定し、他方の第二変調器２０３−２および第二復調器２０４−２においても、それぞれの変調度を、ホットスタンバイ構成時の変調度２ＮのＮを２倍にした値すなわち２２Ｎと等価な値に変更して設定する（ステップＳ２１）。同様に、無線装置１０１内の無線信号制御部１０６から、信号制御部３０８および変調度制御部３１１を介して、変調度変更の指示となる変調方式設定信号Ｗを受け取った無線装置１０１内の一方の第一変調器１０３−１および第一復調器１０４−１においては、それぞれの変調度を、ホットスタンバイ構成時の変調度２ＮのＮを２倍にした値すなわち２２Ｎと等価な値に変更して設定し、他方の第二変調器１０３−２および第二復調器１０４−２においても、それぞれの変調度を、ホットスタンバイ構成時の変調度２ＮのＮを２倍にした値すなわち２２Ｎと等価な値に変更して設定する（ステップＳ２２）。
【００７８】
しかる後、無線装置２０１内の無線信号制御部２０６の判断部３０４は、自無線装置２０１および相手側の無線装置１０１の双方ともに、無線周波数、占有帯域、変調度の変更設定が完了したか否かを確認し（ステップＳ２３）、変更設定が完了したことを認識した場合（ステップＳ２３のＹｅｓ）、無線送信系として、下側チャンネルｆ１’および上側チャンネルｆ２’を用いたＦＤＤツインパス構成への変更動作を完了する（ステップＳ２５）。同様に、無線装置１０１内の無線信号制御部１０６の判断部３０４は、自無線装置１０１および相手側の無線装置２０１の双方ともに、無線周波数、占有帯域、変調度の変更設定が完了したか否かを確認し（ステップＳ２４）、変更設定が完了した場合（ステップＳ２４のＹｅｓ）、無線送信系として、下側チャンネルｆ１および上側チャンネルｆ２を用いたＦＤＤツインパス構成への変更動作を完了する（ステップＳ２６）。
【００７９】
一方、無線装置２０１内の無線信号制御部２０６の判断部３０４は、自無線装置２０１および相手側の無線装置１０１の双方またはいずれか一方において、変更設定が完了したことを認識できなかった場合（ステップＳ２３のＮｏ）、ＦＤＤツインパス構成への構成変更動作が失敗した場合であり、構成変更前の構成であるホットスタンバイ構成に一旦復帰させた後（ステップＳ２７）、ステップＳ１２に復帰して、相手側の無線装置１０１からの再度の構成変更要求を待ち合わせる状態に戻る。同様に、無線装置１０１内の無線信号制御部１０６の判断部３０４は、自無線装置１０１および相手側の無線装置２０１の双方またはいずれか一方において、変更設定が完了したことを認識できなかった場合（ステップＳ２４のＮｏ）、ＦＤＤツインパス構成への構成変更動作が失敗した場合であり、構成変更前の構成であるホットスタンバイ構成に一旦復帰させた後（ステップＳ２８）、図４に示したステップＳ１に復帰して、再度、回線品質の劣化を検出する動作からやり直す。
【００８０】
以上の動作に示すように、隣接チャンネルの干渉波による回線品質の劣化が発生した場合には、無線装置１０１側の送信用／受信用の動作周波数、相手側の無線装置２０１側の受信用／送信用の動作周波数として、無線周波数ｆ０／ｆ０’それぞれを用いた通常運用状態のホットスタンバイ構成から、下側チャンネル（ホットスタンバイ構成時の無線周波数ｆ０／ｆ０’の帯域を上下に二分した下側の無線周波数ｆ１／ｆ１’）と上側チャンネル（ホットスタンバイ構成時の無線周波数ｆ０／ｆ０’の帯域を上下に二分した上側の無線周波数ｆ２／ｆ２’）との二つの周波数を用いたＦＤＤツインパス構成に無線装置１０１／無線装置２０１の構成を変更する。
【００８１】
ここで、下側無線周波数ｆ１／ｆ１’と上側無線周波数ｆ２／ｆ２’とに二分した二つの無線周波数を用いるＦＤＤツインパス構成よりも、より広い占有帯域の無線周波数（ｆ０、ｆ０’）を用いたホットスタンバイ構成の方が、降雨やフェーディング等の伝搬路変動が生じても、回線品質信号のエラーを発生させない伝搬路変動耐力が高いため、ホットスタンバイ構成が、通常運用時に適している。
【００８２】
また、ホットスタンバイ構成においては、無線装置１０１においては第一送受信器１０２−１および第二送受信器１０２−２、無線装置２０１においては第一送受信器２０２−１および第二送受信器２０２−２とそれぞれ二つの送受信器により、一方を現用とし、他方を待機状態とする送受信器の現用・予備構成を構築することができるため、機器故障発生率や低消費電力運用面においても有利である。
【００８３】
したがって、隣接チャンネル干渉状態が解消し、回線品質が正常な状態に復帰したことを検知した場合、頻発な構成変更・構成復帰動作の繰り返しを防止するために、隣接チャンネル干渉状態の解消を検知してからあらかじめ定めた復帰監視時間Ｔ１が経過するまで、隣接チャンネル干渉状態が解消している状態が継続しているか否かを監視することにし、該復帰監視時間Ｔ１を経過するまで解消状態が継続していた場合には、隣接チャンネル干渉状態が確かに解消したものと判断して、ＦＤＤツインパス構成からホットスタンバイ構成へ復帰させる動作を行うことが望ましい。
【００８４】
［隣接チャンネル干渉が低下したことを判断する動作］
次に、無線装置１０１内の無線信号制御部１０６において、ＦＤＤツインパス構成において隣接チャンネルの干渉があらかじめ定めた干渉閾値よりも低下したことを判断する際の動作の一例について、図６のフローチャートを参照しながら詳細に説明する。図６は、図１に示した無線通信システムを構成する無線装置１０１内の無線信号制御部１０６においてＦＤＤツインパス構成時の隣接チャンネルの干渉があらかじめ定めた干渉閾値よりも低下したことを判断する際の動作の一例を説明するためのフローチャートである。なお、図６のフローチャートの説明においては、無線装置１０１内の無線信号制御部１０６が隣接チャンネルの干渉の低下を検出した場合について説明するが、対向する無線装置２０１内の無線信号制御部２０６が隣接チャンネルの干渉の低下を検出した場合についても、無線装置１０１と無線装置２０１とを入れ替えるだけで全く同様の動作を行うことは言うまでもない。
【００８５】
図５のフローチャートに示すように、まず、無線装置１０１内の無線信号制御部１０６の回線品質監視部３０１は、ＦＤＤツインパス構成時において、第一復調器１０４−１および第二復調器１０４−２それぞれから出力される受信情報ｍを監視しており、受信情報ｍに含まれている第一復調器１０４−１および第二復調器１０４−２それぞれにおける回線信号のエラー率情報である回線品質信号Ａの監視結果として、第一復調器１０４−１および第二復調器１０４−２の双方とも無線回線品質の劣化状態が解消し、正常な回線品質に復帰していることを検出すると、回線品質の劣化が解消したことを示す回線劣化信号Ｂを生成して、判断部３０４に出力する（ステップＳ３１）。
【００８６】
次に、回線品質の劣化が解消したことを示す回線劣化信号Ｂを受け取った判断部３０４は、無線装置１０１内の第一送受信器１０２−１および第二送受信器１０２−２それぞれから出力されてくる無線通信信号受信レベルｈが、受信無線信号のエラーを生じるような異常な受信レベルにあるか否かを、あらかじめ定めた受信閾値と比較することにより確認する（ステップＳ３２）。降雨やフェーディング等の影響を受けて無線通信信号受信レベルｈがあらかじめ定めた前記受信閾値よりも低下していた場合には（ステップＳ３２のＮｏ）、回線劣化信号Ｂが示す回線品質の回復の原因は、隣接チャンネル干渉の解消によるものではないと判定する（ステップＳ３３）。
【００８７】
一方、無線通信信号受信レベルｈが前記受信閾値以上に達していて、異常な受信レベルではなかった場合には（ステップＳ３２のＹｅｓ）、次に、隣接干渉波検出部１０５から出力されてくる下側隣接チャンネル、上側隣接チャンネルの双方とも、隣接波受信レベルｐがあらかじめ定めた干渉閾値よりも低下したか否かを確認する（ステップＳ３４）。下側隣接チャンネル、上側隣接チャンネルのいずれかまたは双方の隣接波受信レベルｐが、前記干渉閾値よりも低下していない場合（ステップＳ３４のＮｏ）、まだ、隣接チャンネル干渉の影響が発生する可能性が残っているものと判定して、ホットスタンバイ構成への復帰動作は中止して、ＦＤＤツインパス構成をそのまま継続する（ステップＳ３７）。一方、下側隣接チャンネル、上側隣接チャンネルの双方の隣接波受信レベルｐが前記干渉閾値よりも低下した場合には（ステップＳ３４のＹｅｓ）、隣接チャンネル干渉による品質劣化が解消したものと判定する（ステップＳ３５）。なお、隣接干渉波検出部１０５は、ＦＤＤツインパス構成時においても、隣接チャンネルからの干渉の検出動作を継続しており、下側隣接チャンネル、上側隣接チャンネルそれぞれの受信レベルが、下側受信レベル検出器４０２−１、上側受信レベル検出器４０２−２それぞれにおいて、双方とも、検出されなくなった際に、隣接チャンネルの干渉波が発生していないことを示す隣接波受信レベルｐを生成して出力する動作を行う。
【００８８】
隣接チャンネル干渉による品質劣化が解消したものと判定すると、無線信号制御部１０６の判断部３０４は、あらかじめ定めた一定の復帰監視時間Ｔ１を経過しても、隣接チャンネル干渉波による品質劣化の解消状態が継続しているかを確認するという条件を付けて、ＦＤＤツインパス構成からホットスタンバイ構成へ構成を戻す変更動作を起動する（ステップＳ３６）。
【００８９】
［ＦＤＤツインパス構成からホットスタンバイ構成へ戻すための動作］
次に、無線装置１０１内の無線信号制御部１０６において、ＦＤＤツインパス構成からホットスタンバイ構成へ復帰させる構成変更を行う動作の一例について、図７Ａ及び図７Ｂのフローチャートを参照しながら詳細に説明する。図７Ａは、図１に示した無線通信システムを構成する無線装置１０１内の無線信号制御部１０６においてＦＤＤツインパス構成からホットスタンバイ構成へ復帰させる構成変更を行う動作の一例を説明するためのフローチャートの前半部分であり、図７Ｂはそのフローチャートの後半部分である。図７Ａの下部に○で囲んで記載したＤ，Ｅ及びＦの点は、図７Ｂの上部に○で囲んで記載したＤ，Ｅ及びＦの点にそれぞれ繋がっているものとする。即ち、図７Ａ及び図７Ｂを、両図における点Ｄ，Ｅ及びＦでもって結合した図が、１つのフローチャートを表している。このように、図７Ａ及び図７Ｂを、両図におけるＡ，Ｂ及びＣの点でもって結合した１つの図が１つのフローチャートを表しているので、以下では、結合された図７Ａ及び図７Ｂを図７と総称することとする。なお、図７のフローチャートの説明においては、無線装置１０１内の無線信号制御部１０６が回線品質の劣化の解消を検出した場合について説明するが、対向する無線装置２０１内の無線信号制御部２０６が回線品質の劣化の解消を検出した場合についても、無線装置１０１と無線装置２０１とを入れ替えるだけで全く同様の動作を行うことは言うまでもない。
【００９０】
前述したように、隣接干渉波検出部１０５は、ＦＤＤツインパス構成時においても、隣接チャンネルからの干渉の有無を継続して監視しており、下側隣接チャンネル、上側隣接チャンネルそれぞれの受信レベルが、下側受信レベル検出器４０２−１、上側受信レベル検出器４０２−２それぞれにおいて、双方とも、検出されなくなった際に、隣接チャンネルの干渉波が発生していないことを示す隣接波受信レベルｐを、判断部３０４に出力してくる。
【００９１】
該隣接波受信レベルｐを受け取った無線信号制御部１０６の判断部３０４は、隣接チャンネル干渉による回線品質劣化が解消したものと判定し、該隣接波受信レベルｐの受信後、無線回線毎にあらかじめ定めた復帰監視時間Ｔ１が経過するまで、隣接チャンネル干渉による回線品質劣化が解消している状態が継続しているか否かを監視し、該復帰監視時間Ｔ１が経過するまで解消状態が継続していた場合に、隣接チャンネル干渉状態が確かに解消したものと判断して、ＦＤＤツインパス構成から元のホットスタンバイ構成へ戻す動作を実行する。ここで、復帰監視時間Ｔ１は、無線回線毎にあらかじめ設定する時間であり、設定部３０７にあらかじめ登録して保存されている。
【００９２】
図７のフローチャートに示すように、ＦＤＤツインパス構成からホットスタンバイ構成の構成に復帰させる動作は、図５に示したホットスタンバイ構成からＦＤＤツインパス構成へ構成変更する場合の動作とは逆の動作になる。
【００９３】
すなわち、まず、無線装置１０１内の無線信号制御部１０６の判断部３０４は、隣接干渉波検出部１０５から出力される隣接波受信レベルｐにより、隣接チャンネルの干渉波レベルが低下したことを確認すると、あらかじめ定めた復帰監視時間Ｔ１の計数を開始する（ステップＳ４１）。復帰監視時間Ｔ１が経過しない間に（ステップＳ４２のＮｏ）、隣接チャンネルの干渉波レベルすなわち隣接波受信レベルｐがあらかじめ定めた前記干渉閾値以上になる状態が発生した場合（ステップＳ４３のＮｏ）、ＦＤＤツインパス構成からホットスタンバイ構成に構成を復帰させる変更動作を実行することなく、再度、隣接チャンネル干渉による回線品質劣化状態が解消したことを確認するまで、ＦＤＤツインパス構成をそのまま維持する。
【００９４】
一方、復帰監視時間Ｔ１が経過するまで（ステップＳ４２のＹｅｓ）、隣接チャンネルの干渉波レベルすなわち隣接波受信レベルｐが前記干渉閾値よりも低下した状態が継続していた場合には（ステップＳ４３のＹｅｓ）、ステップＳ４４に移行して、ＦＤＤツインパス構成からホットスタンバイ構成に構成を復帰させる変更動作を開始する。
【００９５】
ホットスタンバイ構成への復帰動作を開始するのに先立って、まず、対向する相手側の無線装置２０１との同期取りを行うために、無線装置１０１内の無線信号制御部１０６の判断部３０４において、相手側の無線装置２０１に対して構成の復帰を要求する対向局構成変更要求信号Ｆを、変調制御信号ｑに含めて、第一変調器１０３−１および第二変調器１０３−２においてインタフェース信号ｅと多重化して、対向する相手側の無線装置２０１に対して送信する（ステップＳ４４）。
【００９６】
対向する相手側の無線装置２０１は、相手側の無線装置１０１からの変調制御信号ｑに含まれた対向局構成変更要求信号Ｆを受け取ると（ステップＳ４５）、第一復調器２０４−１および第二復調器２０４−２において、変調制御信号ｑに含まれた対向局構成変更要求信号Ｆを分離して、無線装置２０１内の無線信号制御部２０６の対向局間同期判定部３０３へ出力する。対向局間同期判定部３０３は、相手側の無線装置１０１においてＦＤＤツインパス構成からホットスタンバイ構成へ復帰しようとしているので、当該無線装置２０１も同期を取って、同様の構成復帰動作を行う必要があることを認識し、構成復帰を行うための応答信号Ｇを生成して、無線信号制御部２０６の判断部３０４に出力するとともに、要求を受け付けた旨を示すＡＣＫ（Acknowledge）信号として、対向局構成変更要求信号Ｆを含む変調制御信号ｑを相手側の無線装置１０１に返送する（ステップＳ４６）。
【００９７】
応答信号Ｇを受け取った無線装置２０１内の無線信号制御部２０６の判断部３０４は、無線制御信号Ｍを信号制御部３０８に出力して、ＦＤＤツインパス構成からホットスタンバイ構成に復帰させる構成変更を行うために、無線周波数変更、占有帯域変更、変調度変更を行うことを指示する（ステップＳ４８）。同様に、対向する相手側の無線装置２０１に対して対向局構成変更要求信号Ｆを含む変調制御信号ｑを送信した無線装置１０１側の判断部３０４においても、対向する相手側の無線装置２０１側からＡＣＫ信号として返送されてきた対向局構成変更要求信号Ｆを含む変調制御信号ｑを検知すると、対向局間同期判定部３０３にて応答信号Ｇを生成して、判断部３０４に出力してくる（ステップＳ４７）。応答信号Ｇを受け取った判断部３０４は、無線制御信号Ｍを無線装置１０１内の信号制御部３０８に出力して、ＦＤＤツインパス構成からホットスタンバイ構成に復帰させる構成変更を行うために、無線周波数変更、占有帯域変更、変調度変更を行うことを指示する（ステップＳ４９）。
【００９８】
無線装置２０１内の無線信号制御部２０６から、信号制御部３０８および周波数制御部３０９を介して、無線周波数変更の指示となる周波数設定信号Ｔを受け取った無線装置２０１内の一方の第一送受信器２０２−１においては、送信用／受信用それぞれの動作周波数を、ＦＤＤツインパス構成時の下側チャンネルすなわち下側無線周波数ｆ１’／下側無線周波数ｆ１からホットスタンバイ構成時の無線周波数ｆ０’／無線周波数ｆ０に変更して設定し、他方の第二送受信器２０２−２においては、送信用／受信用それぞれの動作周波数を、ＦＤＤツインパス構成時の上側チャンネルすなわち上側無線周波数ｆ２’／上側無線周波数ｆ２からホットスタンバイ構成時の無線周波数ｆ０’／無線周波数ｆ０に変更して設定する（ステップＳ５０）。同様に、無線装置１０１内の無線信号制御部１０６から、信号制御部３０８および周波数制御部３０９を介して、無線周波数変更の指示となる周波数設定信号Ｔを受け取った無線装置１０１内の一方の第一送受信器１０２−１においては、送信用／受信用それぞれの動作周波数を、ＦＤＤツインパス構成時の下側チャンネルすなわち下側無線周波数ｆ１／下側無線周波数ｆ１’からホットスタンバイ構成時の無線周波数ｆ０／無線周波数ｆ０’に変更して設定し、他方の第二送受信器１０２−２においては、送信用／受信用それぞれの動作周波数を、ＦＤＤツインパス構成時の上側チャンネルすなわち上側無線周波数ｆ２／上側無線周波数ｆ１’からホットスタンバイ構成時の無線周波数ｆ０／無線周波数ｆ０’に変更して設定する（ステップＳ５１）。
【００９９】
また、無線装置２０１内の無線信号制御部２０６から、信号制御部３０８および占有帯域制御部３１０を介して、占有帯域変更の指示となる占有帯域設定信号Ｕを受け取った無線装置２０１内の一方の第一変調器２０３−１および第一復調器２０４−１においては、それぞれの占有周波数帯域を、ＦＤＤツインパス構成時における占有周波数帯域の２倍のホットスタンバイ構成時の占有周波数帯域に変更して設定し、他方の第二変調器２０３−２および第二復調器２０４−２においても、それぞれの占有周波数帯域を、ＦＤＤツインパス構成時における占有周波数帯域の２倍のホットスタンバイ構成時の占有周波数帯域に変更して設定する（ステップＳ５２）。同様に、無線装置１０１内の無線信号制御部１０６から、信号制御部３０８および占有帯域制御部３１０を介して、占有帯域変更の指示となる占有帯域設定信号Ｕを受け取った無線装置１０１内の一方の第一変調器１０３−１および第一復調器１０４−１においては、それぞれの占有周波数帯域を、ＦＤＤツインパス構成時における占有周波数帯域の２倍のホットスタンバイ構成時の占有周波数帯域に変更して設定し、他方の第二変調器１０３−２および第二復調器１０４−２においても、それぞれの占有周波数帯域を、ＦＤＤツインパス構成時における占有周波数帯域の２倍のホットスタンバイ構成時の占有周波数帯域に変更して設定する（ステップＳ５３）。
【０１００】
また、無線装置２０１内の無線信号制御部２０６から、信号制御部３０８および変調度制御部３１１を介して、変調度変更の指示となる変調方式設定信号Ｗを受け取った無線装置２０１内の一方の第一変調器２０３−１および第一復調器２０４−１においては、それぞれの変調度を、ＦＤＤツインパス構成時の変調度２ＮのＮを（１／２）にした値すなわちホットスタンバイ構成時の変調度２ＮのＮと等価な値に変更して設定し、他方の第二変調器２０３−２および第二復調器２０４−２においても、それぞれの変調度を、ＦＤＤツインパス構成時の変調度２ＮのＮを（１／２）にした値すなわちホットスタンバイ構成時の変調度２ＮのＮと等価な値に変更して設定する（ステップＳ５４）。同様に、無線装置１０１内の無線信号制御部１０６から、信号制御部３０８および変調度制御部３１１を介して、変調度変更の指示となる変調方式設定信号Ｗを受け取った無線装置１０１内の一方の第一変調器１０３−１および第一復調器１０４−１においては、それぞれの変調度を、ＦＤＤツインパス構成時の変調度２ＮのＮを（１／２）にした値すなわちホットスタンバイ構成時の変調度２ＮのＮと等価な値に変更して設定し、他方の第二変調器１０３−２および第二復調器１０４−２においても、それぞれの変調度を、ＦＤＤツインパス構成時の変調度２ＮのＮを（１／２）にした値すなわちホットスタンバイ構成時の変調度２ＮのＮと等価な値に変更して設定する（ステップＳ５５）。
【０１０１】
しかる後、無線装置２０１内の無線信号制御部２０６の判断部３０４は、自無線装置２０１および相手側の無線装置１０１の双方ともに、無線周波数、占有帯域、変調度の変更設定が完了したか否かを確認し（ステップＳ５６）、変更設定が完了したことを認識した場合（ステップＳ５６のＹｅｓ）、無線送信系として、無線チャンネルｆ０’を用いたホットスタンバイ構成への復帰動作を完了し、二つの送受信系、すなわち、第一送受信器２０２−１、第一変調器２０３−１および第一復調器２０４−１、あるいは、第二送受信器２０２−２、第二変調器２０３−２および第二復調器２０４−２のうち、いずれか一方の送受信系（例えば、最新に運用系としていた送受信系）を現用系として用いて（他方の送受信系は待機状態の予備系として）、無線送受信動作を開始する（ステップＳ５８）。同様に、無線装置１０１内の無線信号制御部１０６の判断部３０４は、自無線装置１０１および相手側の無線装置２０１の双方ともに、無線周波数、占有帯域、変調度の変更設定が完了したか否かを確認し（ステップＳ５７）、変更設定が完了した場合（ステップＳ５７のＹｅｓ）、無線送信系として、無線チャンネルｆ０を用いたホットスタンバイ構成への復帰動作を完了し、二つの送受信系、すなわち、第一送受信器１０２−１、第一変調器１０３−１および第一復調器１０４−１、あるいは、第二送受信器１０２−２、第二変調器１０３−２および第二復調器１０４−２のうち、いずれかの送受信系（例えば、最新に運用系としていた送受信系）を、現用系として用いて（他方の送受信系は待機状態の予備系として）、無線送受信動作を開始する（ステップＳ５９）。
【０１０２】
なお、二つの送受信系のうち、いずれか一方の送受信系（例えば、最新に運用系としていた送受信系）のいずれかの機器に故障が発生していることが判明した場合には、他方の送受信系（例えば、最新に予備系としていた送受信系）を用いて無線送受信動作を開始する。
【０１０３】
一方、無線装置２０１内の無線信号制御部２０６の判断部３０４は、変更設定が完了したことを認識できなかった場合（ステップＳ５６のＮｏ）、ホットスタンバイ構成への構成復帰動作が失敗した場合であり、構成復帰前の構成であるＦＤＤスタンバイ構成に一旦復帰させた後（ステップＳ６０）、ステップＳ４５に復帰して、相手側の無線装置１０１からの再度の構成復帰要求を待ち合わせる状態に戻る。同様に、無線装置１０１内の無線信号制御部１０６の判断部３０４は、変更設定が完了したことを認識できなかった場合（ステップＳ５７のＮｏ）、ホットスタンバイ構成への構成復帰動作が失敗した場合であり、構成復帰前の構成であるＦＤＤスタンバイ構成に一旦復帰させた後（ステップＳ６１）、図６に示したステップＳ３１に復帰して、再度、回線品質の劣化の解消を検出する動作からやり直す。
【０１０４】
以上の動作に示すように、隣接チャンネルの干渉波による回線品質の劣化の解消を検知した場合には、下側チャンネル（ホットスタンバイ構成時の無線周波数ｆ０／ｆ０’それぞれの帯域を上下に二分した下側の無線周波数ｆ１／ｆ１’）と上側チャンネル（ホットスタンバイ構成時の無線周波数ｆ０／ｆ０’それぞれの帯域を上下に二分した上側の無線周波数ｆ２／ｆ２’）との二つの周波数を用いたＦＤＤツインパス構成から、無線周波数ｆ０／ｆ０’それぞれを用いた通常運用状態のホットスタンバイ構成に構成を復帰させる。
【０１０５】
次に、本発明の一実施形態として図１〜図３に示した無線通信システムの動作例について、図８Ａ及び図８Ｂの説明図を参照してさらに詳細に説明する。図８Ａ及び図８Ｂは、図１〜図３に示した無線通信システムの動作の一例を説明するための説明図であり、無線装置１０１から対向する相手側の無線装置２０１への片方向の無線信号を送信する場合を例にとって、ホットスタンバイ構成からＦＤＤツインパス構成へ構成変更する際の無線周波数変更、占有帯域変更、変調度変更を実施するための動作、および、対向する相手側の無線装置２０１内において受信データｃを外部に出力する伝送データ合成器２１０の動作の一例を、説明している。図８Ａは、ホットスタンバイ構成時における無線装置１０１から無線装置２０１への片方向無線送信動作時の概略を説明し、図８Ｂは、ＦＤＤツインパス構成時における無線装置１０１から無線装置２０１への片方向無線送信動作時の概略を説明している。
【０１０６】
なお、図８Ａ及び図８Ｂは、図面の簡素化を図るために、各機能ブロックの名称の記載を省略して、図１に付した符号のみを各機能ブロックの枠内に記載して表示している。つまり、図８Ａ及び図８Ｂの機能ブロック内に示す符号１１０、１０３−１、１０３−２、１０２−１、１０２−２、１０９、２０９、２０２−１、２０２−２、２０４−１、２０４−２および２１０のそれぞれは、図１に示す無線通信システムにおける無線装置１０１内の伝送データ合成器１１０、第一変調器１０３−１、第二変調器１０３−２、第一送受信器１０２−１、第二送受信器１０２−２、無線信号合成器１０９、無線装置２０１内の無線信号合成器２０９、第一送受信器２０２−１、第二送受信器２０２−２、第一復調器２０４−１、第二復調器２０４−２および伝送データ合成器２１０それぞれを意味している。
【０１０７】
また、図８Ａは、ホットスタンバイ構成時において、無線装置１０１の伝送データ合成器１１０に入力される伝送データｄが、無線周波数ｆ０を用いて、対向局の無線装置２０１へ無線伝送され、無線装置２０１側は、無線周波数ｆ０を用いて無線伝送されてきた無線信号を無線装置２０１の伝送データ合成器２１０から受信データｃ（すなわち、受信した伝送データ２１０（ｊ））として外部に出力する様子を示している。一方、図８Ｂは、ＦＤＤツインパス構成時において、無線装置１０１の伝送データ合成器１１０に入力される伝送データｄが、ホットスタンバイ構成時の無線周波数ｆ０の帯域を上下に二分した下側無線周波数ｆ１、上側無線周波数ｆ２の二つの周波数を用いて、対向局の無線装置２０１へ無線伝送され、無線装置２０１側は、二つの下側無線周波数ｆ１、上側無線周波数ｆ２を用いて無線伝送されてきた無線信号を無線装置２０１の伝送データ合成器２１０から受信データｃとして外部に出力する様子を示している。
【０１０８】
図８Ａに示すホットスタンバイ構成の場合には、無線装置１０１側は、第一変調器１０３−１および第一送受信器１０２−１と、第二変調器１０３−２および第二送受信器１０２−２とからなる第一、第二の二つの無線送信系のうち、いずれか一方の無線送信系を現用系として用いて、無線周波数ｆ０の無線信号を出力する。一方、対向する無線装置２０１側は、第一送受信器２０２−１および第一復調器２０４−１と、第二送受信器２０２−２および第二復調器２０４−２とからなる第一、第二の二つの無線受信系の双方が、ともに、無線装置１０１から無線周波数ｆ０を用いて無線伝送されてきた無線信号を受信および復調する。しかる後、無線装置２０１側においては、伝送データ合成器２１０により、第一、第二の二つの無線受信系双方からの復調データを合成して、受信データｃ（すなわち、受信した伝送データ２１０（ｊ））を再生する。ここで、伝送データ合成器２１０においては、第一、第二の二つの無線受信系における復調データのうち、伝送品質が良好な無線受信系の復調データを選択して、受信データｃとして生成する。
【０１０９】
図８Ａに示すホットスタンバイ構成において、例えば、無線周波数ｆ０のＱＰＳＫ（Quadrature  Phase  Shift  Keying：４位相偏移変調）変調方式を用いて運用していた際に、自無線回線の上下いずれかの隣接チャンネル（図８Ａに示す例においては、右側すなわち上側の隣接チャンネル）に、新たに隣接干渉波が追加された場合、図８Ａにおいて符号Ａ１を付した「隣接干渉発生状況」に示す斜線部のような干渉が発生して、自無線回線のＱＰＳＫ信号にエラーが発生することになる。かくのごとき隣接チャンネル干渉が発生した場合、該隣接チャンネル干渉が継続する限り、運用中の無線通信の伝送品質が低下した状態が継続してしまう。
【０１１０】
従来の無線通信システムにおいては、かかる隣接チャンネルの運用が継続する限り、該隣接チャンネルの干渉による伝送品質の低下状態がそのまま固定してしまい、隣接チャンネルの運用が停止して、当該隣接チャンネルの干渉波がなくなるまで自無線回線の無線信号の伝送品質が改善されない状態が継続してしまう。本発明の一実施形態を示す図１〜図３のような構成の無線通信システムにおいては、隣接チャンネル干渉による伝送品質の低下状態が発生した場合には、図８Ｂに示すように、ホットスタンバイ構成をＦＤＤツインパス構成に構成を変更することによって、隣接チャンネル干渉による伝送品質の低下状態から脱して、無線伝送品質を改善することができる。
【０１１１】
図８Ｂに示すように、ＦＤＤツインパス構成においては、無線装置１０１の第一送受信器１０２−１の送信周波数、無線装置２０１の第一送受信器２０２−１の受信周波数を、ホットスタンバイ構成時の無線周波数ｆ０から無線周波数ｆ１(無線周波数ｆ０の帯域を上下に二分した下側の無線周波数帯Ａ)に変更し、無線装置１０１の第二送受信器１０２−２の送信周波数、無線装置２０１の第二送受信器２０２−２の受信周波数を、ホットスタンバイ構成時の無線周波数ｆ０から無線周波数ｆ２(無線周波数ｆ０の帯域を上下に二分した上側の無線周波数帯Ｂ)に変更することによって、二つの無線周波数（ｆ１、ｆ２）を使用するＦＤＤツインパス構成に変更し、ホットスタンバイ構成時の無線周波数ｆ０から二つの無線周波数（ｆ１、ｆ２）を用いた無線信号によって送受信する状態に変更する。
【０１１２】
また、ＦＤＤツインパス構成においては、図８Ｂに示すように、無線装置１０１の第一変調器１０３−１、第二変調器１０３−２および無線装置２０１の第一復調器２０４−１、第二復調器２０４−２のそれぞれは、変調度をホットスタンバイ構成時のＱＰＳＫ変調方式から変調度２ＮのＮが２倍の１６ＱＡＭ変調方式（つまり変調度２ＮのＮ＝２からＮ＝４へとＮの２倍の変調方式）に変更する。さらに、二つの無線周波数（ｆ１、ｆ２）それぞれの占有帯域を、図８Ａにおいて符号Ａ２を付した「ＦＤＤツインパス構成へ変更した状態」に示すように、ホットスタンバイ構成時における無線周波数帯を下側の無線周波数帯Ａ（無線周波数ｆ１）と上側の無線周波数帯Ｂ（無線周波数ｆ２）とに二分して、ホットスタンバイ構成時の（１/２）ずつの占有領域に変更することによって、ホットスタンバイ構成時において使用していた占有帯域幅内に２波のツインパス伝送を実現する仕組みを構築する。
【０１１３】
この結果、符号Ａ２を付した「ＦＤＤツインパス構成へ変更した状態」に示すように、ＦＤＤツインパス構成に変更した場合、無線装置１０１からの無線信号を受信した無線装置２０１においては、上側の無線周波数帯Ｂ（無線周波数ｆ２）の復調データ２０４−２（ｂ）には、依然として、復調誤りによるエラーが残ってしまうが、下側の無線周波数帯Ａ（無線周波数ｆ１）の復調データ２０４−１（ｂ）には、エラーが発生しなくなり、該下側の無線周波数帯Ａ（無線周波数ｆ１）の復調データ２０４−１（ｂ）を用いれば、無線伝送を行うことが可能になる。
【０１１４】
つまり、図８Ａにおいて符号Ａ３を付した「復調データの合成」に示すように、無線装置２０１の伝送データ合成器２１０には、エラーを含んでいない復調データ２０４−１(ｂ)とエラーを含んでいる復調データ２０４−２(ｂ)との双方のデータが入力されるが、伝送データ合成器２１０は、エラー発生状況から、復調データ２０４−２(ｂ)には隣接干渉波の影響で復調誤りが発生していることを認識して、受信品質が良好な方の復調データ２０４−１(ｂ)を選択して、受信した伝送データ２１０（ｊ）すなわち受信データｃとして出力することにする。而して、伝送データ合成器２１０の出力である受信データｃは、隣接チャンネルの干渉波が発生していても、該干渉波によるエラーが解消され、エラーは含まない正常な伝送データを出力ことができる。
【０１１５】
ここで、エラー発生状況に応じていずれの復調データを選択するかという選択方法としては、例えば、復調器の誤り訂正符号による誤り訂正状況やパリティ符号を用いた誤り検出状況、受信レベル変動状況等から判定する方法を適用することができることは、既知の技術からも自明のことである。
【０１１６】
以上に詳細に説明したように、本実施形態の無線通信システムにおける特徴は、次の点にある。すなわち、図１〜図３、図８Ａ及び図８Ｂに示すように、本実施形態の無線通信システムは、通常運用状態のホットスタンバイ構成として、周波数有効利用の観点から、例えば、無線装置１０１から無線装置２０１に無線伝送を行う場合、あらかじめ割り当てられた一つの無線周波数ｆ０のみを用いて、割り当てられた特定の周波数帯域を占有して無線通信を行う、（１＋１）冗長構成の無線通信システムを対象にしている。かくのごとき構成の無線通信システムにおいて、例えば、別の無線通信システムが新たに運用を開始して、その干渉波が無線周波数ｆ０の無線チャンネルの隣接チャンネルに発生して、無線周波数ｆ０の無線信号の品質に影響を与えた場合には、ホットスタンバイ構成からＦＤＤツインパス構成へ変更する。そして、無線周波数ｆ０の周波数帯域を（１/２）に分割して、下側無線周波数帯Ａ（無線周波数ｆ１）と上側無線周波数帯Ｂ（無線周波数ｆ２）との二つの周波数帯域に分けて、同一のデータを、一方の系の無線装置１０１の第一送受信器１０２−１、無線装置２０１の第一送受信器２０２−１については、二つの周波数帯域のうち、下側無線周波数帯Ａ（もしくは上側無線周波数帯Ｂ）を用いて無線伝送し、他方の系の無線装置１０１の第二送受信器１０２−２、無線装置２０１の第二送受信器２０２−２については、上側無線周波数帯Ｂ（もしくは下側無線周波数帯Ａ）を用いて無線伝送する。
【０１１７】
さらに、無線信号の伝送容量をそのまま維持するために、下側無線周波数帯Ａと上側無線周波数帯Ｂとのそれぞれの占有帯域をホットスタンバイ構成時の（１／２）に変更するとともに、変調度２ＮのＮを、ホットスタンバイ構成時のＱＰＳＫ変調方式の（Ｎ＝２）から、Ｎが２倍の１６ＱＡＭ変調方式の（Ｎ＝４）に変更する。そして、無線装置２０１の第一送受信器２０２−１および第二送受信器２０２−２それぞれの無線受信信号のうち、受信品質が良好な無線信号を、無線装置２０１の伝送データ合成器２１０において合成することによって、隣接チャンネル干渉による無線信号の伝送品質の劣化を改善することを可能にしている。
【０１１８】
なお、図８Ａ及び図８Ｂに示す無線通信システムにおいては、ホットスタンバイ構成からＦＤＤツインパス構成に構成変更する際に、変調度２ＮのＮが、ＱＰＳＫ変調方式（２２）の（Ｎ＝２）から、２倍の１６ＱＡＭ変調方式（２４）の（Ｎ＝４）へ変更する場合の例を示したが、本発明はかかる場合のみに限るものではない。例えば、１６ＱＡＭ変調方式（２４）の（Ｎ＝４）から、変調度２ＮのＮが２倍の２５６ＱＡＭ変調方式（２８）の（Ｎ＝８）へ変更する場合であっても構わない。つまり、変調度２ＮのＮを２倍に変更制御するようにすれば、Ｎの値が如何なる値の変調方式であっても、前述した場合と同様の効果を奏することができる。
【０１１９】
以上、本発明の好適な実施形態の構成を説明した。しかし、かかる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【符号の説明】
【０１２０】
１０１            無線装置（第一無線装置）
１０２−１        第一送受信器
１０２−２        第二送受信器
１０３−１        第一変調器
１０３−２        第二変調器
１０４−１        第一復調器
１０４−２        第二復調器
１０５            隣接干渉波検出部
１０６            無線信号制御部
１０７            インタフェース部
１０８            アンテナ部
１０９            無線信号合成器
１１０            伝送データ合成器
２０１            無線装置（第二無線装置）
２０２−１        第一送受信器
２０２−２        第二送受信器
２０３−１        第一変調器
２０３−２        第二変調器
２０４−１        第一復調器
２０４−１（ｂ）  復調データ
２０４−２        第二復調器
２０４−２（ｂ）  復調データ
２０５            隣接干渉波検出部
２０６            無線信号制御部
２０７            インタフェース部
２０８            アンテナ部
２０９            無線信号合成器
２１０            伝送データ合成器
２１０（ｊ）      伝送データ
３０１            回線品質監視部
３０３            対向局間同期判定部
３０４            判断部
３０７            設定部
３０８            信号制御部
３０９            周波数制御部
３１０            占有帯域制御部
３１１            変調度制御部
４０１−１        下側隣接チャンネル受信器
４０１−２        上側隣接チャンネル受信器
４０２−１        下側受信レベル検出器
４０２−２        上側受信レベル検出器
ａ                受信信号
ｂ                復調信号
ｃ                受信データ
ｄ                伝送データ
ｅ                インタフェース信号
ｆ                変調データ
ｇ                隣接チャンネル無線通信信号
ｈ                無線通信信号受信レベル
ｊ                伝送データ
ｋ                周波数設定信号
ｍ                受信情報
ｎ                復調制御信号
ｐ                隣接波受信レベル
ｑ                変調制御信号
ｒ                隣接チャンネル受信信号
ｓ                隣接チャンネル情報
Ａ                回線品質信号
Ｂ                回線劣化信号
Ｆ                対向局変更要求信号
Ｇ                応答信号
Ｋ                設定情報
Ｍ                無線制御信号
Ｎ                周波数信号
Ｑ                占有帯域信号
Ｒ                変調方式信号
Ｔ                周波数設定信号
Ｕ                占有帯域設定信号
Ｗ                変調方式設定信号
【図１】
2015226252.tif 000003
【図２】
2015226252.tif 000004
【図３】
2015226252.tif 000005
【図４】
2015226252.tif 000006
【図５Ａ】
2015226252.tif 000007
【図５Ｂ】
2015226252.tif 000008
【図６】
2015226252.tif 000009
【図７Ａ】
2015226252.tif 000010
【図７Ｂ】
2015226252.tif 000011
【図８Ａ】
2015226252.tif 000012
【図８Ｂ】
2015226252.tif 000013